(57)【特許請求の範囲】
【請求項１】
ワイヤレス通信システム（ＷＣＳ）のネットワークエンティティからマルチキャスト送信のサービス品質（ＱｏＳ）を動的に制御するための方法であって、
初期ＱｏＳを有するマルチキャスト送信を開始することと、
前記マルチキャスト送信の終了より前に、マルチキャストエリアのネットワーク負荷ファクタに応答して、前記マルチキャスト送信の更新ＱｏＳを生成することと
を備え、前記ネットワーク負荷ファクタは、前記マルチキャストエリア中の基地局からのネットワーク負荷／帯域幅利用可能性を処理することによって判断される、アグリゲート利用可能帯域幅の測定値を備え、前記アグリゲート利用可能帯域幅の測定値は、エリアにおいて１つまたは複数のマルチキャストサービスに割り振られた帯域幅が増加されたか、減少されたか、または静的なままであるか否かをアップストリームネットワークエンティティに示すために使用される、
方法。
【請求項２】
前記ネットワークエンティティがブロードキャストマルチキャストサービスセンター（ＢＭ−ＳＣ）を備える、
請求項１に記載の方法。
【請求項３】
前記更新ＱｏＳを使用して前記マルチキャスト送信を更新することをさらに備える、
請求項１に記載の方法。
【請求項４】
前記マルチキャスト送信を受信するモバイルエンティティに前記更新ＱｏＳを示すことをさらに備える、
請求項１に記載の方法。
【請求項５】
前記ネットワークエンティティは、前記モバイルエンティティからフィードバックを受信しない、
請求項４に記載の方法。
【請求項６】
前記更新ＱｏＳを示すことは、前記モバイルエンティティにメディア構成要素をストリーミングするためのパラメータを与えることと、告知中で、指定されたフレーム境界または時間において効力を発する前記パラメータのうちの新しいパラメータを指定することとを備える、
請求項４に記載の方法。
【請求項７】
セッション記述プロトコル（ＳＤＰ）、修正されたＳＤＰ、ファイル記述テーブル（ＦＤＴ）、または修正されたＦＤＴ
のうちの少なくとも１つに従って前記告知を送信することをさらに備える、
請求項６に記載の方法。
【請求項８】
前記更新ＱｏＳを示すことは、対応する制御ストリーム中で前記パラメータを送ること、または前記マルチキャスト送信のためのストリームトランスポートプロトコルのヘッダ中に前記パラメータを含めることのうちの少なくとも１つによって実行される、
請求項６に記載の方法。
【請求項９】
前記ストリームトランスポートプロトコルがＨＴＴＰプッシュプロトコルを備える、
請求項８に記載の方法。
【請求項１０】
前記ネットワーク負荷ファクタを示すフィードバック、更新ＱｏＳ、あるいはＱｏＳまたは前記ＱｏＳを制御する際に使用するネットワーク負荷ファクタに限定されない１つまたは複数の追加のファクタのうちの少なくとも１つを取得するために、前記ＷＣＳ内の中間ノードと通信することをさらに備える、
請求項１に記載の方法。
【請求項１１】
前記ネットワーク負荷ファクタを受信することをさらに備え、前記ネットワーク負荷ファクタは、前記マルチキャストエリアにおける前記マルチキャスト送信のための利用可能帯域幅を示す、
請求項１０に記載の方法。
【請求項１２】
直接インターフェース上のメッセージ、いくつかのインターフェースを通して中継されるメッセージ、または運用および保守ベース指示のうちの少なくとも１つを介してマルチキャスト協調エンティティ（ＭＣＥ）から前記ネットワーク負荷ファクタを受信することをさらに備える、
請求項１０に記載の方法。
【請求項１３】
直接インターフェース上のメッセージ、いくつかのインターフェースを通して中継されるメッセージ、または運用および保守ベース指示のうちの少なくとも１つを介してｅノードＢ（ｅＮＢ）から前記ネットワーク負荷ファクタを受信することをさらに備える、
請求項１０に記載の方法。
【請求項１４】
ワイヤレス通信システム（ＷＣＳ）のネットワークエンティティからマルチキャスト送信のサービス品質（ＱｏＳ）を動的に制御するためのシステムであって、
初期ＱｏＳを有するマルチキャスト送信を開始するための手段と、
前記マルチキャスト送信の終了より前に、マルチキャストエリアのネットワーク負荷ファクタに応答して、前記マルチキャスト送信の更新ＱｏＳを生成するための手段と
を備え、前記ネットワーク負荷ファクタは、前記マルチキャストエリア中の基地局からのネットワーク負荷／帯域幅利用可能性を処理することによって判断される、アグリゲート利用可能帯域幅の測定値を備え、前記アグリゲート利用可能帯域幅の測定値は、エリアにおいて１つまたは複数のマルチキャストサービスに割り振られた帯域幅が増加されたか、減少されたか、または静的なままであるか否かをアップストリームネットワークエンティティに示すために使用される、
システム。
【請求項１５】
ワイヤレス通信システム（ＷＣＳ）のネットワークエンティティからマルチキャスト送信のサービス品質（ＱｏＳ）を動的に制御するためのシステムであって、
初期ＱｏＳを有するマルチキャスト送信を開始することと、前記マルチキャスト送信の終了より前に、マルチキャストエリアのネットワーク負荷ファクタに応答して、前記マルチキャスト送信の更新ＱｏＳを生成することとを行うように構成される少なくとも１つのプロセッサと、
前記少なくとも１つのプロセッサに結合された、データを記憶するためのメモリと
を備え、前記ネットワーク負荷ファクタは、前記マルチキャストエリア中の基地局からのネットワーク負荷／帯域幅利用可能性を処理することによって判断される、アグリゲート利用可能帯域幅の測定値を備え、前記アグリゲート利用可能帯域幅の測定値は、エリアにおいて１つまたは複数のマルチキャストサービスに割り振られた帯域幅が増加されたか、減少されたか、または静的なままであるか否かをアップストリームネットワークエンティティに示すために使用される、
システム。
【請求項１６】
前記プロセッサは、前記ＷＣＳ中のブロードキャストマルチキャストサービスセンター（ＢＭ−ＳＣ）として動作するようにさらに構成される、
請求項１５に記載のシステム。
【請求項１７】
前記プロセッサは、前記更新ＱｏＳを使用して前記マルチキャスト送信を更新するようにさらに構成される、
請求項１５に記載のシステム。
【請求項１８】
前記プロセッサは、前記マルチキャスト送信を受信するモバイルエンティティに前記更新ＱｏＳを示すようにさらに構成される、
請求項１５に記載のシステム。
【請求項１９】
前記プロセッサは、前記モバイルエンティティからフィードバックを受信しないようにさらに構成される、
請求項１８に記載のシステム。
【請求項２０】
前記プロセッサは、前記モバイルエンティティにメディア構成要素をストリーミングするためのパラメータを与えること、または告知中で、指定されたフレーム境界または時間において効力を発する前記パラメータのうちの新しいパラメータを指定することのうちの少なくとも１つによって、前記更新ＱｏＳを示すようにさらに構成される、
請求項１８に記載のシステム。
【請求項２１】
前記プロセッサは、セッション記述プロトコル（ＳＤＰ）、修正されたＳＤＰ、ファイル記述テーブル（ＦＤＴ）、または修正されたＦＤＴのうちの少なくとも１つに従って前記告知を送信するようにさらに構成される、
請求項２０に記載のシステム。
【請求項２２】
前記プロセッサは、対応する制御ストリーム中で前記パラメータを送ること、または前記マルチキャスト送信のためのストリームトランスポートプロトコルのヘッダ中に前記パラメータを含めることのうちの少なくとも１つによって前記更新ＱｏＳを示すようにさらに構成される、
請求項２０に記載のシステム。
【請求項２３】
前記プロセッサは、ＨＴＴＰプッシュプロトコルを備える前記ストリームトランスポートプロトコルを構成するようにさらに構成される、
請求項２２に記載のシステム。
【請求項２４】
前記プロセッサは、前記ネットワーク負荷ファクタを示すフィードバック、更新ＱｏＳ、あるいはＱｏＳまたは前記ＱｏＳを制御する際に使用するネットワーク負荷ファクタに限定されない１つまたは複数の追加のファクタのうちの少なくとも１つを取得するために、前記ＷＣＳ内の中間ノードと通信するようにさらに構成される、
請求項１５に記載のシステム。
【請求項２５】
前記プロセッサは、前記ネットワーク負荷ファクタを受信するようにさらに構成され、前記ネットワーク負荷ファクタは、前記マルチキャストエリアにおける前記マルチキャスト送信のための利用可能帯域幅を示す、
請求項２４に記載のシステム。
【請求項２６】
前記プロセッサは、直接インターフェース上のメッセージ、いくつかのインターフェースを通して中継されるメッセージ、または運用および保守ベース指示のうちの少なくとも１つを介してマルチキャスト協調エンティティ（ＭＣＥ）から前記ネットワーク負荷ファクタを受信するようにさらに構成される、
請求項２４に記載のシステム。
【請求項２７】
前記プロセッサは、直接インターフェース上のメッセージ、いくつかのインターフェースを通して中継されるメッセージ、または運用および保守ベース指示のうちの少なくとも１つを介してｅノードＢ（ｅＮＢ）から前記ネットワーク負荷ファクタを受信するようにさらに構成される、
請求項２４に記載のシステム。
【請求項２８】
初期ＱｏＳを有するマルチキャスト送信を開始することと、前記マルチキャスト送信の終了より前に、マルチキャストエリアのネットワーク負荷ファクタに応答して、前記マルチキャスト送信の更新ＱｏＳを生成することとを少なくとも１つのプロセッサによって行わせるためのコードを備え、  前記ネットワーク負荷ファクタは、前記マルチキャストエリア中の基地局からのネットワーク負荷／帯域幅利用可能性を処理することによって判断される、アグリゲート利用可能帯域幅の測定値を備え、前記アグリゲート利用可能帯域幅の測定値は、エリアにおいて１つまたは複数のマルチキャストサービスに割り振られた帯域幅が増加されたか、減少されたか、または静的なままであるか否かをアップストリームネットワークエンティティに示すために使用される、
コンピュータプログラム。
【請求項２９】
モバイルデバイスを使用して、動的に制御されるサービス品質（ＱｏＳ）を有するマルチキャスト送信を使用するための方法であって、
ワイヤレス通信システムにおいてマルチキャスト送信を介してコンテンツを受信することと、
前記マルチキャスト送信中に更新ＱｏＳを受信することと、
前記更新ＱｏＳに従って前記コンテンツの後続の部分を処理することと
を備え、前記更新ＱｏＳは、ネットワーク負荷ファクタに応答して生成され、前記ネットワーク負荷ファクタは、前記マルチキャストエリア中の基地局からのネットワーク負荷／帯域幅利用可能性を処理することによって判断される、アグリゲート利用可能帯域幅の測定値を備え、前記アグリゲート利用可能帯域幅の測定値は、エリアにおいて１つまたは複数のマルチキャストサービスに割り振られた帯域幅が増加されたか、減少されたか、または静的なままであるか否かをアップストリームネットワークエンティティに示すために使用される、方法。
【請求項３０】
前記更新ＱｏＳを受信することは、前記コンテンツのメディアストリームを処理するための少なくとも１つのパラメータを受信することを備える、
請求項２９に記載の方法。
【請求項３１】
前記パラメータを受信することは、前記メディアストリームのための前記パラメータを含んでいる対応する制御ストリームを受信することを備える、
請求項２９に記載の方法。
【請求項３２】
前記パラメータを受信することは、各々が前記メディアストリームの１つまたは複数の指定されたフレーム境界または時間において効力を発するための前記パラメータのうちの新しいパラメータを備える、告知を受信すること備える、
請求項２９に記載の方法。
【請求項３３】
セッション記述プロトコル（ＳＤＰ）、または修正されたファイル記述テーブル（ＦＤＴ）のうちの少なくとも１つに従って前記告知のうちの複数の告知を受信することをさらに備える、
請求項３２に記載の方法。
【請求項３４】
前記パラメータを受信することは、前記マルチキャスト送信のためのストリームトランスポートプロトコルのヘッダ中で前記パラメータを受信することを備える、
請求項３０に記載の方法。
【請求項３５】
前記ストリームトランスポートプロトコルがＨＴＴＰプッシュプロトコルを備える、
請求項３４に記載の方法。
【請求項３６】
動的に制御されるサービス品質（ＱｏＳ）を有するマルチキャスト送信を使用するためのシステムであって、
ワイヤレス通信システムにおいてマルチキャスト送信を介してコンテンツを受信するための手段と、
前記マルチキャスト送信中に更新ＱｏＳを受信するための手段と、
前記更新ＱｏＳに従って前記コンテンツの後続の部分を処理するための手段と
を備え、前記更新ＱｏＳは、ネットワーク負荷ファクタに応答して生成され、前記ネットワーク負荷ファクタは、前記マルチキャストエリア中の基地局からのネットワーク負荷／帯域幅利用可能性を処理することによって判断される、アグリゲート利用可能帯域幅の測定値を備え、前記アグリゲート利用可能帯域幅の測定値は、エリアにおいて１つまたは複数のマルチキャストサービスに割り振られた帯域幅が増加されたか、減少されたか、または静的なままであるか否かをアップストリームネットワークエンティティに示すために使用される、
システム。
【請求項３７】
動的に制御されるサービス品質（ＱｏＳ）を有するマルチキャスト送信を使用するためのシステムであって、
ワイヤレス通信システムにおいてマルチキャスト送信を介してコンテンツを受信することと、前記マルチキャスト送信中に更新ＱｏＳを受信することと、前記更新ＱｏＳに従って前記コンテンツの後続の部分を処理することとを行うように構成される少なくとも１つのプロセッサと、
前記少なくとも１つのプロセッサに結合された、データを記憶するためのメモリと
を備え、前記更新ＱｏＳは、ネットワーク負荷ファクタに応答して生成され、前記ネットワーク負荷ファクタは、前記マルチキャストエリア中の基地局からのネットワーク負荷／帯域幅利用可能性を処理することによって判断される、アグリゲート利用可能帯域幅の測定値を備え、前記アグリゲート利用可能帯域幅の測定値は、エリアにおいて１つまたは複数のマルチキャストサービスに割り振られた帯域幅が増加されたか、減少されたか、または静的なままであるか否かをアップストリームネットワークエンティティに示すために使用される、
システム。
【請求項３８】
前記プロセッサは、前記コンテンツのメディアストリームを処理するための少なくとも１つのパラメータを受信することによって前記更新ＱｏＳを受信するようにさらに構成される、
請求項３７に記載のシステム。
【請求項３９】
前記プロセッサは、前記メディアストリームのための前記パラメータを含んでいる対応する制御ストリームを受信すること、または各々が前記メディアストリームの１つまたは複数の指定されたフレーム境界または時間において効力を発するための前記パラメータのうちの新しいパラメータを備える、告知を受信することのうちの少なくとも１つによって前記パラメータを受信するようにさらに構成される、
請求項３８に記載のシステム。
【請求項４０】
前記プロセッサは、セッション記述プロトコル（ＳＤＰ）、または修正されたファイル記述テーブル（ＦＤＴ）のうちの少なくとも１つに従って前記告知のうちの複数の告知を受信するようにさらに構成される、
請求項３９に記載のシステム。
【請求項４１】
前記プロセッサは、前記マルチキャスト送信のためのストリームトランスポートプロトコルのヘッダ中で前記パラメータを受信するようにさらに構成される、
請求項３８に記載のシステム。
【請求項４２】
前記プロセッサは、ＨＴＴＰプッシュプロトコルを備える前記ストリームトランスポートプロトコルを受信するようにさらに構成される、
請求項４１に記載のシステム。
【請求項４３】
ワイヤレス通信システムにおいてマルチキャスト送信を介してコンテンツを受信することと、前記マルチキャスト送信中に更新ＱｏＳを受信することと、前記更新ＱｏＳに従って前記コンテンツの後続の部分を処理することとを少なくとも１つのプロセッサによって行わせるためのコードを備え、
前記更新ＱｏＳは、ネットワーク負荷ファクタに応答して生成され、前記ネットワーク負荷ファクタは、前記マルチキャストエリア中の基地局からのネットワーク負荷／帯域幅利用可能性を処理することによって判断される、アグリゲート利用可能帯域幅の測定値を備え、前記アグリゲート利用可能帯域幅の測定値は、エリアにおいて１つまたは複数のマルチキャストサービスに割り振られた帯域幅が増加されたか、減少されたか、または静的なままであるか否かをアップストリームネットワークエンティティに示すために使用される、
コンピュータプログラム。
【請求項４４】
マルチキャスト送信のサービス品質（ＱｏＳ）を制御する際に使用する、ワイヤレス通信システム（ＷＣＳ）のネットワークエンティティからの動的帯域幅利用可能性を判断するための方法であって、
前記ＷＣＳのマルチキャストエリアにおいてマルチキャスト送信のコンテンツを受信する基地局から現在利用可能な帯域幅の測定値を受信することと、
前記マルチキャスト送信中に、前記マルチキャストエリアにおける前記マルチキャスト送信のためのアグリゲート利用可能帯域幅を判断することと、
前記マルチキャスト送信のＱｏＳを制御する際に使用する前記アグリゲート利用可能帯域幅を示すことと
を備え、前記アグリゲート利用可能帯域幅を示すことは、エリアにおいて１つまたは複数のマルチキャストサービスに割り振られた帯域幅が増加されたか、減少されたか、または静的なままであるか否かをアップストリームネットワークエンティティに示すことを備える、方法。
【請求項４５】
前記アグリゲート利用可能帯域幅を示すことは、アップストリームネットワークエンティティに前記アグリゲート利用可能帯域幅の指示を送信すること、または運用および保守ベース指示を使用して前記アップストリームネットワークエンティティに前記現在利用可能な帯域幅の指示を与えることのうちの少なくとも１つを備える、
請求項４４に記載の方法。
【請求項４６】
前記アップストリームネットワークエンティティに直接インターフェース上のメッセージを介して前記指示を送信すること、または前記アップストリームネットワークエンティティにいくつかのインターフェースを通して中継されるメッセージを介して前記指示を送信することのうちの少なくとも１つをさらに備える、
請求項４５に記載の方法。
【請求項４７】
前記アグリゲート利用可能帯域幅を判断する前記ネットワークエンティティがマルチキャスト協調エンティティ（ＭＣＥ）を備える、
請求項４４に記載の方法。
【請求項４８】
マルチキャスト送信のサービス品質（ＱｏＳ）を制御する際に使用する、ワイヤレス通信システム（ＷＣＳ）のネットワークエンティティからの動的帯域幅利用可能性を判断するためのシステムであって、
前記ＷＣＳのマルチキャストエリアにおいてマルチキャスト送信のコンテンツを受信する基地局から現在利用可能な帯域幅の測定値を受信するための手段と、
前記マルチキャスト送信中に、前記マルチキャストエリアにおける前記マルチキャスト送信のためのアグリゲート利用可能帯域幅を判断するための手段と、
前記マルチキャスト送信のＱｏＳを制御する際に使用する前記アグリゲート利用可能帯域幅を示すための手段と
を備え、前記アグリゲート利用可能帯域幅を示すための手段は、エリアにおいて１つまたは複数のマルチキャストサービスに割り振られた帯域幅が増加されたか、減少されたか、または静的なままであるか否かをアップストリームネットワークエンティティに示すための手段を備える、システム。
【請求項４９】
マルチキャスト送信のサービス品質（ＱｏＳ）を制御する際に使用する、ワイヤレス通信システム（ＷＣＳ）のネットワークエンティティからの動的帯域幅利用可能性を判断するためのシステムであって、
前記ＷＣＳのマルチキャストエリアにおいてマルチキャスト送信のコンテンツを受信する基地局から現在利用可能な帯域幅の測定値を受信することと、前記マルチキャスト送信中に、前記マルチキャストエリアにおける前記マルチキャスト送信のためのアグリゲート利用可能帯域幅を判断することと、前記マルチキャスト送信のＱｏＳを制御する際に使用する前記アグリゲート利用可能帯域幅を示すこととを行うように構成される少なくとも１つのプロセッサと、
前記少なくとも１つのプロセッサに結合された、データを記憶するためのメモリと
を備え、前記アグリゲート利用可能帯域幅を示すことは、エリアにおいて１つまたは複数のマルチキャストサービスに割り振られた帯域幅が増加されたか、減少されたか、または静的なままであるか否かをアップストリームネットワークエンティティに示すことを備える、システム。
【請求項５０】
前記プロセッサは、アップストリームネットワークエンティティに前記アグリゲート利用可能帯域幅の指示を送信すること、または運用および保守ベース指示を使用して前記アップストリームネットワークエンティティに前記現在利用可能な帯域幅の指示を与えることのうちの少なくとも１つによって前記アグリゲート利用可能帯域幅を示すようにさらに構成される、
請求項４９に記載のシステム。
【請求項５１】
前記プロセッサは、前記アップストリームネットワークエンティティに直接インターフェース上のメッセージを介して前記指示を送信すること、または前記アップストリームネットワークエンティティにいくつかのインターフェースを通して中継されるメッセージを介して前記指示を送信することのうちの少なくとも１つをさらに備える、
請求項５０に記載のシステム。
【請求項５２】
前記プロセッサは、マルチキャスト協調エンティティ（ＭＣＥ）として動作するようにさらに構成される、
請求項４９に記載のシステム。
【請求項５３】
前記ＷＣＳのマルチキャストエリアにおいてマルチキャスト送信のコンテンツを受信する基地局から現在利用可能な帯域幅の測定値を受信することと、前記マルチキャスト送信中に、前記マルチキャストエリアにおける前記マルチキャスト送信のためのアグリゲート利用可能帯域幅を判断することと、前記マルチキャスト送信のＱｏＳを制御する際に使用する前記アグリゲート利用可能帯域幅を示すこととを少なくとも１つのプロセッサによって行わせるためのコードを備え、前記アグリゲート利用可能帯域幅を示すことは、エリアにおいて１つまたは複数のマルチキャストサービスに割り振られた帯域幅が増加されたか、減少されたか、または静的なままであるか否かをアップストリームネットワークエンティティに示すことを備える、
コンピュータプログラム。
【発明の詳細な説明】
【関連出願】
【０００１】
関連出願の相互参照  
本出願は、米国特許法第１１９条（ｅ）項に従って、その出願全体が参照により本明細書に組み込まれる、２０１１年４月２０日に出願された米国仮出願第６１／４７７，５６０号の優先権を主張する。
【技術分野】
【０００２】
本開示の態様は、一般にワイヤレス通信システムに関し、より詳細には、ワイヤレス通信ネットワークまたは他のマルチキャストフォーマットにおける同様のマルチキャストブロードキャストモードにおいてマルチメディアブロードキャストマルチキャストサービス（ＭＢＭＳ：Multimedia Broadcast Multicast Service）のサービス品質（ＱｏＳ：Quality of Service）を制御することに関する。
【背景技術】
【０００３】
ワイヤレス通信ネットワークは、たとえば、ボイス、ビデオ、パケットデータ、メッセージング、またはブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、モバイルデバイスまたはモバイルエンティティとも呼ばれるいくつかのユーザ機器（ＵＥ：user equipment）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。本明細書で使用する「基地局」は、ｅノードＢ（ｅＮＢ）、ノードＢ、ホームノードＢ、またはワイヤレス通信システムの同様のネットワーク構成要素を意味する。
【０００５】
３ｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）は、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）（登録商標）およびＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の発展形として、セルラー技術における大きな進歩を表すものである。ＬＴＥ物理レイヤ（ＰＨＹ）は、発展型ノードＢ（ｅＮＢ）などの基地局とＵＥなどのモバイルデバイスとの間でデータと制御情報の両方を搬送する高効率な方法を与える。先出願では、マルチメディアのための高帯域幅通信を可能にするための方法は、単一周波数ネットワーク（ＳＦＮ：single frequency network）動作であった。ＳＦＮは、加入者ＵＥと通信するために、たとえば、ｅＮＢなどの無線送信機を利用する。ユニキャスト動作では、各ｅＮＢは、１つまたは複数の特定の加入者ＵＥを対象とする情報を搬送する信号を送信するように制御される。ユニキャストシグナリングの特異性によって、たとえば、ボイス発呼、テキストメッセージング、またはビデオ発呼など、人対人のサービスが可能になる。
【０００６】
マルチキャストブロードキャスト動作では、エリア中のいくつかのｅＮＢは、同期した方式で信号をブロードキャストし、ブロードキャストエリア中のいずれかの加入者ＵＥによって受信されアクセスされ得る情報を搬送する。マルチキャストブロードキャスト動作の一般性により、公衆が注目する情報の送信、たとえば、イベント関連のマルチメディアブロードキャストの効率をより高くすることが可能になる。イベント関連のマルチメディアおよび他のマルチキャストブロードキャストサービスに対する需要およびシステム能力が向上しているので、システムオペレータは、３ＧＰＰおよび３ＧＰＰ２ネットワークにおいてマルチキャストブロードキャスト動作を利用することにますます関心を示すようになった。従来は、３ＧＰＰ  ＬＴＥ技術は主にユニキャストサービスのために使用され、マルチキャストブロードキャストシグナリングに関する改善および強化の機会が残されている。類似するマルチキャスト動作はまた、３ＧＰＰまたは３ＧＰＰ２コンテキストのほかに、ワイヤレス通信において実装され得る。
【発明の概要】
【０００７】
ワイヤレス通信システムにおけるマルチキャストブロードキャストのＱｏＳを管理するための方法、装置およびシステムについて、発明を実施するための形態において詳しく説明し、いくつかの態様を以下で要約する。この概要および以下の発明を実施するための形態は、統合された開示の相補部分として解釈すべきであり、これらの部分は、重複する主題および／または補足的な主題を含み得る。いずれかのセクションの省略は、統合された出願に記載されている任意の要素の優先順位または相対的な重要性を示すものではない。セクション間の差が、代替実施形態の補足的な開示、さらなる詳細、または異なる用語を使用した同一の実施形態の代替的な説明を含み得ることがそれぞれの開示から明らかとなるはずである。
【０００８】
一態様では、ワイヤレス通信システム（ＷＣＳ）のネットワークエンティティからマルチキャスト送信のＱｏＳを動的に制御するための方法は、初期ＱｏＳを有するマルチキャスト送信を開始することと、マルチキャスト送信の終了より前に、マルチキャストエリアのネットワーク負荷ファクタに応答して、マルチキャスト送信の更新ＱｏＳを生成することとを含み得る。本方法は、更新ＱｏＳを使用してマルチキャスト送信を更新することを含み得る。更新ＱｏＳは、マルチキャスト送信の終了より前に初期ＱｏＳと入れ替わり得る。一態様では、ネットワークエンティティは、ブロードキャストマルチキャストサービスセンター（ＢＭ−ＳＣ）であり得るか、またはそれを含み得る。
【０００９】
関係する態様では、本方法は、マルチキャスト送信を受信するモバイルエンティティに更新ＱｏＳを示すことを含み得る。一態様では、ネットワークエンティティは、モバイルエンティティからフィードバックを受信しない。更新ＱｏＳを示すことは、モバイルエンティティにメディア構成要素をストリーミングするためのパラメータを与えることと、告知中で、指定されたフレーム境界または時間において効力を発するパラメータのうちの新しいパラメータを指定することとを含み得る。さらに、本方法は、セッション記述プロトコル（ＳＤＰ：Session Description Protocol）、修正されたＳＤＰ、ファイル記述テーブル（ＦＤＴ：File Description Table）、または修正されたＦＤＴのうちの少なくとも１つに従って告知を送信することを含み得る。いくつかの実施形態では、本方法は、対応する制御ストリーム中でパラメータを送ること、またはマルチキャスト送信のためのストリームトランスポートプロトコルのヘッダ中にパラメータを含めることのうちの少なくとも１つによって更新ＱｏＳを示すことを含み得る。ストリームトランスポートプロトコルは、ＨＴＴＰプッシュプロトコルであり得るか、またはそれを含み得る。
【００１０】
他の態様では、本方法は、ネットワーク負荷ファクタを示すフィードバック、更新ＱｏＳ、あるいはＱｏＳまたはＱｏＳを制御する際に使用するネットワーク負荷ファクタに限定されない１つまたは複数の追加のファクタのうちの少なくとも１つを取得するために、ＷＣＳ内の中間ノードと通信することを含み得る。本方法は、ネットワーク負荷ファクタを受信することをさらに含み得、ネットワーク負荷ファクタは、マルチキャストエリアにおけるマルチキャスト送信のための利用可能帯域幅を示す。本方法は、直接インターフェース上のメッセージ、いくつかのインターフェースを通して中継されるメッセージ、または運用および保守ベース指示のうちの少なくとも１つを介してマルチキャスト協調エンティティ（ＭＣＥ：Multicast Coordinating Entity）からネットワーク負荷ファクタを受信することをさらに含み得る。代替または追加として、本方法は、直接インターフェース上のメッセージ、いくつかのインターフェースを通して中継されるメッセージ、または運用および保守ベース指示のうちの少なくとも１つを介してｅノードＢ（ｅＮＢ）からネットワーク負荷ファクタを受信することを含み得る。
【００１１】
モバイルエンティティにおける実装形態のための他の態様では、モバイルデバイスを使用して、動的に制御されるＱｏＳを有するマルチキャスト送信を使用するための方法は、ワイヤレス通信システムにおいてマルチキャスト送信を介してコンテンツを受信することと、マルチキャスト送信中に更新ＱｏＳを受信することと、更新ＱｏＳに従ってコンテンツの後続の部分を処理することとを含み得る。本方法は、コンテンツのメディアストリームを処理するための少なくとも１つのパラメータを受信することによって更新ＱｏＳを受信することをさらに含み得る。パラメータを受信することは、メディアストリームのためのパラメータを含んでいる対応する制御ストリームを受信することを含み得る。代替または追加として、パラメータを受信することは、各々がメディアストリームの１つまたは複数の指定されたフレーム境界または時間において効力を発するためのパラメータのうちの新しいパラメータを備える、告知を受信することを含み得る。本方法は、セッション記述プロトコル（ＳＤＰ）、または修正されたファイル記述テーブル（ＦＤＴ）のうちの少なくとも１つに従って告知のうちの複数の告知を受信することをさらに含み得る。別の代替では、パラメータを受信することは、マルチキャスト送信のためのストリームトランスポートプロトコルのヘッダ中でパラメータを受信することを含み得る。ストリームトランスポートプロトコルは、ＨＴＴＰプッシュプロトコルであり得るか、またはそれを含み得る。
【００１２】
ネットワークエンティティにおける実装形態のための他の態様では、マルチキャスト送信のＱｏＳを制御する際に使用する、ＷＣＳのネットワークエンティティからの動的帯域幅利用可能性を判断するための方法は、ＷＣＳのマルチキャストエリアにおいてマルチキャスト送信のコンテンツを受信する基地局から現在利用可能な帯域幅の動的測定値を受信することと、マルチキャスト送信中に、マルチキャストエリアにおけるマルチキャスト送信のためのアグリゲート利用可能帯域幅を判断することと、マルチキャスト送信のＱｏＳを制御する際に使用するアグリゲート利用可能帯域幅を示すこととを含み得る。本方法の態様では、アグリゲート利用可能帯域幅を示すことは、アップストリームネットワークエンティティにアグリゲート利用可能帯域幅の指示を送信すること、または運用および保守ベース指示を使用してアップストリームネットワークエンティティに現在利用可能な帯域幅の指示を与えることのうちの少なくとも１つを含み得る。本方法は、アップストリームネットワークエンティティに直接インターフェース上のメッセージを介して指示を送信すること、またはアップストリームネットワークエンティティにいくつかのインターフェースを通して中継されるメッセージを介して指示を送信することのうちの少なくとも１つをさらに含み得る。一態様では、アグリゲート利用可能帯域幅を判断するネットワークエンティティは、マルチキャスト協調エンティティ（ＭＣＥ：Multicast Coordinating Entity）であり得るか、またはそれを含み得る。
【００１３】
関係する態様では、上記方法および上記で要約した方法の態様のいずれかを実行するためのワイヤレス通信装置が提供され得る。装置は、たとえば、メモリに結合されたプロセッサであって、メモリは、上記で説明した動作を装置に実行させるためにプロセッサが実行するための命令を保持する、プロセッサを含み得る。そのような装置のいくつかの態様（たとえば、ハードウェア態様）は、ワイヤレス通信のために使用される様々なタイプのモバイルエンティティまたは基地局などの機器によって例示され得る。同様に、プロセッサによって実行されたとき、上記方法および上記で要約した方法の態様をワイヤレス通信装置に実行させる、符号化された命令を保持するコンピュータ可読記憶媒体を含む、製造品が提供され得る。
【図面の簡単な説明】
【００１４】
【図１】電気通信システムの一例を概念的に示すブロック図。
【図２】電気通信システムにおけるダウンリンクフレーム構造の一例を概念的に示すブロック図。
【図３】本開示の一態様に従って構成された基地局／ｅＮＢおよびＵＥの設計を概念的に示すブロック図。
【図４】ユニキャスト信号およびマルチキャスト信号のためのシンボル割り振りの一例を示すシグナリングフレームの図。
【図５】ＭＢＭＳ  ｏｖｅｒ  ａ  Ｓｉｎｇｌｅ  Ｆｒｅｑｕｅｎｃｙ  Ｎｅｔｗｏｒｋ（ＭＢＳＦＮ）サービスエリア内のＭＢＳＦＮエリアを示す図。
【図６】ＭＢＳＦＮサービスを提供またはサポートするためのワイヤレス通信システムの構成要素を示すブロック図。
【図７】ワイヤレス通信システムのマルチキャスト送信におけるＱｏＳ制御のためのネットワークレベルのコールフローの一実施形態を示す図。
【図８Ａ】マルチキャストブロードキャストサービスを提供するネットワークエンティティによるマルチキャスト送信におけるＱｏＳ制御のための方法の実施形態を示す図。
【図８Ｂ】マルチキャストブロードキャストサービスを提供するネットワークエンティティによるマルチキャスト送信におけるＱｏＳ制御のための方法の実施形態を示す図。
【図８Ｃ】マルチキャストブロードキャストサービスを提供するネットワークエンティティによるマルチキャスト送信におけるＱｏＳ制御のための方法の実施形態を示す図。
【図８Ｄ】マルチキャストブロードキャストサービスを提供するネットワークエンティティによるマルチキャスト送信におけるＱｏＳ制御のための方法の実施形態を示す図。
【図８Ｅ】マルチキャストブロードキャストサービスを提供するネットワークエンティティによるマルチキャスト送信におけるＱｏＳ制御のための方法の実施形態を示す図。
【図８Ｆ】マルチキャストブロードキャストサービスを提供するネットワークエンティティによるマルチキャスト送信におけるＱｏＳ制御のための方法の実施形態を示す図。
【図９】図８Ａ〜図８Ｆの方法を実装するための装置の一例を示す図。
【図１０Ａ】モバイルデバイスにおける動的ＱｏＳ制御のために構成されたマルチキャスト送信を使用するための方法の実施形態を示す図。
【図１０Ｂ】モバイルデバイスにおける動的ＱｏＳ制御のために構成されたマルチキャスト送信を使用するための方法の実施形態を示す図。
【図１１】図１０Ａ〜図１０Ｂの方法を実装するための装置の一例を示す図。
【図１２Ａ】基地局における動的ＱｏＳ制御のために使用されるネットワーク負荷ファクタを与えるための方法の実施形態を示す図。
【図１２Ｂ】基地局における動的ＱｏＳ制御のために使用されるネットワーク負荷ファクタを与えるための方法の実施形態を示す図。
【図１２Ｃ】基地局における動的ＱｏＳ制御のために使用されるネットワーク負荷ファクタを与えるための方法の実施形態を示す図。
【図１３】図１２Ａ〜図１２Ｃの方法を実装するための装置の一例を示す図。
【図１４Ａ】中間ネットワークエンティティにおいて、マルチキャストエリアにおける動的ＱｏＳ制御のために使用される帯域幅利用可能性測定値をアグリゲートするための方法の実施形態を示す図。
【図１４Ｂ】中間ネットワークエンティティにおいて、マルチキャストエリアにおける動的ＱｏＳ制御のために使用される帯域幅利用可能性測定値をアグリゲートするための方法の実施形態を示す図。
【図１５】図１４Ａ〜図１４Ｂの方法を実装するための装置の一例を示す図。
【発明を実施するための形態】
【００１５】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念がこれらの具体的な詳細なしに実施され得ることが当業者には明らかであろう。いくつかの例では、そのような概念を不明瞭にしないように、よく知られている構造および構成要素をブロック図の形式で示す。
【００１６】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用され得る。「ネットワーク」および「システム」という用語は、しばしば互換的に使用される。ＣＤＭＡネットワークは、たとえば、Ｕｎｉｖｅｒｓａｌ  Ｔｅｒｒｅｓｔｒｉａｌ  Ｒａｄｉｏ  Ａｃｃｅｓｓ（ＵＴＲＡ）またはＣＤＭＡ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００１７】
図１に、ＬＴＥネットワークであり得るワイヤレス通信ネットワーク１００を示す。ワイヤレスネットワーク１００は、いくつかのｅＮＢ１１０と他のネットワークエンティティとを含み得る。ｅＮＢは、ＵＥと通信する局であり得、基地局、Ｎｏｄｅ  Ｂ、アクセスポイント、または他の用語で呼ばれることもある。各ｅＮＢ１１０ａ、１１０ｂ、１１０ｃは、特定の地理的エリアに通信カバレージを与え得る。３ＧＰＰでは、「セル」という用語は、この用語が使用されるコンテキストに応じて、ｅＮＢのカバレージエリアおよび／またはこのカバレージエリアをサービスしているｅＮＢサブシステムを指すことがある。
【００１８】
ｅＮＢは、マクロセル、ピコセル、フェムトセル、および／または他のタイプのセルに通信カバレージを与え得る。マクロセルは、比較的大きい地理的エリア（たとえば、半径数キロメートル）をカバーし得、サービスに加入しているＵＥによる無制限アクセスを可能にし得る。ピコセルは、比較的小さい地理的エリアをカバーし得、サービスに加入しているＵＥによる無制限アクセスを可能にし得る。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、または自宅内のユーザのためのＵＥ）による限定アクセスを可能にし得る。マクロセルのためのｅＮＢはマクロｅＮＢと呼ばれることがある。ピコセルのためのｅＮＢはピコｅＮＢと呼ばれることがある。フェムトセルのためのｅＮＢはフェムトｅＮＢまたはホームｅＮＢ（ＨＮＢ）と呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢであり得る。ｅＮＢ１１０ｘは、ＵＥ１２０ｘをサービスするピコセル１０２ｘのためのピコｅＮＢであり得る。ｅＮＢ１１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートし得る。
【００１９】
ワイヤレスネットワーク１００はまた、中継局１１０ｒを含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送る局である。中継局はまた、他のＵＥに対する送信を中継するＵＥであり得る。図１に示す例では、中継局１１０ｒは、ｅＮＢ１１０ａとＵＥ１２０ｒとの間の通信を可能にするためにｅＮＢ１１０ａおよびＵＥ１２０ｒと通信し得る。中継局は、中継ｅＮＢまたは中継器と呼ばれることもある。
【００２０】
ワイヤレスネットワーク１００は、様々なタイプのｅＮＢ、たとえば、マクロｅＮＢ、ピコｅＮＢ、フェムトｅＮＢ、中継器などを含む異種ネットワークであり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、および中継器は、より低い送信電力レベル（たとえば、１ワット）を有し得る。
【００２１】
ワイヤレスネットワーク１００は、同期動作または非同期動作をサポートし得る。マルチキャストブロードキャスト動作は、定義されたエリア内で基地局の同期を必要とし得るが、本技術はそれによって限定されない。同期動作の場合、ｅＮＢは同様のフレームタイミングを有し得、異なるｅＮＢからの送信は、近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００２２】
ネットワークコントローラ１３０は、ｅＮＢのセットに結合し、これらのｅＮＢの協調および制御を行い得る。ネットワークコントローラ１３０は、バックホールを介してｅＮＢ１１０と通信し得る。ｅＮＢ１１０はまた、たとえば、ワイヤレスバックホールまたはワイヤラインバックホールを介して直接または間接的に互いに通信し得る。
【００２３】
ＵＥ１２０は、ワイヤレスネットワーク１００全体にわたって分散され得、各ＵＥは固定またはモバイルであり得る。ＵＥは、端末、移動局、モバイルエンティティ、加入者ユニット、局、または他の名称で呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、または他のモバイルデバイスであり得る。ＵＥは、マクロｅＮＢ、ピコｅＮＢ、フェムトｅＮＢ、中継器、または他のネットワークエンティティと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２４】
ＬＴＥは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーンまたはビンとも呼ばれる複数（Ｋ）個の直交サブキャリアに分割する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまたサブバンドに区分され得る。たとえば、サブバンドは１．０８ＭＨｚをカバーし得、１．２５、２．５、５、１０または２０ＭＨｚのシステム帯域幅に対してそれぞれ１つ、２つ、４つ、８つまたは１６個のサブバンドがあり得る。
【００２５】
図２に、ＬＴＥにおいて使用されるダウンリンクフレーム構造２００を示す。ダウンリンクの送信タイムラインは無線フレーム２０２、２０４、２０６の単位に区分され得る。各無線フレームは、所定の持続時間（たとえば、１０ミリ秒（ｍｓ））を有し得、０〜９のインデックスをもつ１０個のサブフレーム２０８に区分され得る。各サブフレームは２つのスロット、たとえば、スロット２１０を含み得る。したがって、各無線フレームは０から１９の指数を持つ２０個のスロットを含み得る。各スロットは、Ｌ個のシンボル期間、たとえば、図２に示すようにノーマルサイクリックプレフィックス（ＣＰ）の場合は７つのシンボル期間２１２、または拡張サイクリックプレフィックスの場合は６つのシンボル期間を含み得る。ノーマルＣＰおよび拡張ＣＰを、本明細書では異なるＣＰタイプと呼ぶことがある。各サブフレーム中の２Ｌ個のシンボル期間には、０から２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２６】
ＬＴＥでは、ｅＮＢは、ｅＮＢ中の各セルに関する１次同期信号（ＰＳＳ）と２次同期信号（ＳＳＳ）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および収集のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２７】
ｅＮＢは、図２では第１のシンボル期間全体で物理制御フォーマットインジケータチャネル（ＰＣＦＩＣＨ：Physical Control Format Indicator Channel）を送ると図示されているが、各サブフレームの第１のシンボル期間の一部分のみでＰＣＦＩＣＨを送り得る。ＰＣＦＩＣＨは、制御チャネルのために使用されるいくつか（Ｍ個）のシンボル期間を搬送し得、Ｍは、１、２、または３に等しくなり得、サブフレームごとに変化し得る。シンボル期間の数Ｍはまた、たとえば、リソースブロックが１０個未満の小さいシステム帯域幅の場合は４に等しくなり得る。図２に示す例では、Ｍ＝３である。ｅＮＢは、各サブフレームの最初のＭ個のシンボル期間中に（図２ではＭ＝３）、物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送信（ＨＡＲＱ：hybrid automatic retransmission）をサポートするための情報を搬送し得る。ＰＤＣＣＨは、ＵＥのためのリソース割り振りに関する情報と、ダウンリンクチャネルについての制御情報とを搬送し得る。図２の第１のシンボル期間には示されていないが、ＰＤＣＣＨおよびＰＨＩＣＨも第１のシンボル期間中に含まれ得ることを理解されたい。同様に、ＰＨＩＣＨおよびＰＤＣＣＨはまた、図２にはそのように示されていないが、第２のシンボル期間と第３のシンボル期間の両方にある。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥについてのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００２８】
ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００２９】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０中に周波数上でほぼ等しく離間し得る４つのＲＥＧを占有し得る。ＰＨＩＣＨは、１つまたは複数の構成可能なシンボル期間中に周波数上で拡散され得る３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して許可され得る。
【００３０】
ＵＥは、ＰＨＩＣＨおよびＰＣＦＩＣＨのために使用される特定のＲＥＧを知り得る。ＵＥは、ＰＤＣＣＨのためのＲＥＧの異なる組合せを探索し得る。探索すべき組合せの数は、一般に、ＰＤＣＣＨに対して許可される組合せの数よりも少ない。ｅＮＢは、ＵＥが探索することになる組合せのいずれかにおいてＵＥにＰＤＣＣＨを送り得る。
【００３１】
ＵＥは、複数のｅＮＢのカバレージ内にあり得る。そのＵＥをサービスするために、これらのｅＮＢのうちの１つが選択され得る。サービングｅＮＢは、たとえば、受信電力、パスロス、信号対雑音比（ＳＮＲ）など、様々な基準に基づいて選択され得る。
【００３２】
図３に、図１の基地局／ｅＮＢのうちの１つであり得る基地局／ｅＮＢ１１０および図１のＵＥのうちの１つであり得るＵＥ１２０の設計のブロック図を示す。制限付き関連付けシナリオの場合、基地局１１０は図１のマクロｅＮＢ１１０ｃであり得、ＵＥ１２０はＵＥ１２０ｙであり得る。基地局１１０はまた、何らかの他のタイプの基地局であり得る。基地局１１０はアンテナ３３４ａ〜３３４ｔを装備し得、ＵＥ１２０はアンテナ３５２ａ〜３５２ｒを装備し得る。
【００３３】
基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨ、または他の制御チャネルのためのものであり得る。データは、ＰＤＳＣＨまたは他のデータチャネルのためのものであり得る。プロセッサ３２０は、データと制御情報とを処理（たとえば、符号化およびシンボルマッピング）して、それぞれデータシンボルと制御シンボルとを取得し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、出力サンプルストリームを取得するために、（たとえば、ＯＦＤＭの）それぞれの出力シンボルストリームを処理し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのダウンリンク信号は、それぞれアンテナ３３４ａ〜３３４ｔを介して送信され得る。
【００３４】
ＵＥ１２０において、アンテナ３５２ａ〜３５２ｒは、基地局１１０からダウンリンク信号を受信し得、受信信号をそれぞれ復調器（ＤＥＭＯＤ）３５４ａ〜３５４ｒに与え得る。各復調器３５４は、それぞれの受信信号を調整（たとえば、フィルタ処理、増幅、ダウンコンバート、およびデジタル化）して入力サンプルを取得し得る。各復調器３５４はさらに、（たとえば、ＯＦＤＭの）入力サンプルを処理して受信シンボルを取得し得る。ＭＩＭＯ検出器３５６は、すべての復調器３５４ａ〜３５４ｒから受信シンボルを取得し、適用可能な場合は受信シンボルに対してＭＩＭＯ検出を実行し、検出されたシンボルを与え得る。受信プロセッサ３５８は、検出されたシンボルを処理（たとえば、復調、デインターリーブ、および復号）し、ＵＥ１２０の復号されたデータをデータシンク３６０に与え、復号された制御情報をコントローラ／プロセッサ３８０に与え得る。プロセッサ３８０はまた、図１０Ａ〜図１０Ｂに示す機能ブロック、および／または本明細書で説明する技法に従ってＵＥによって実行するための他のプロセスを実行するか、またはその実行を指示し得る。
【００３５】
アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭのために）変調器３５４ａ〜３５４ｒによって処理され、基地局１１０に送信され得る。基地局１１０において、ＵＥ１２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ１２０によって送られた復号されたデータおよび制御情報が取得され得る。プロセッサ３３８は、復号されたデータをデータシンク３３９に与え、復号された制御情報をコントローラ／プロセッサ３４０に与え得る。
【００３６】
コントローラ／プロセッサ３４０および３８０は、それぞれ基地局１１０およびＵＥ１２０における動作を指示し得る。基地局１１０におけるプロセッサ３４０および／または他のプロセッサならびにモジュールは、本明細書で説明する技法についての様々なプロセスを実行するか、またはその実行を指示し得る。ＵＥ１２０におけるプロセッサ３８０ならびに／または他のプロセッサおよびモジュールはまた、図１２Ａ〜図１２Ｃに示す機能ブロック、および／または本明細書で説明する技法のための他のプロセスを実行するかまたはその実行を指示し得る。メモリ３４２および３８２は、それぞれ基地局１１０およびＵＥ１２０のためのデータおよびプログラムコードを記憶し得る。スケジューラ３４４は、ダウンリンク上および／またはアップリンク上でのデータ送信のためにＵＥをスケジュールし得る。本明細書で説明する技法の他の態様は、本明細書の他の場所で説明するワイヤレス通信システムの他のネットワークエンティティによって実行され得る。
【００３７】
単一周波数ネットワークにおけるｅＭＢＭＳおよびユニキャストシグナリング  
マルチメディアの高帯域幅通信を可能にするための１つの機構は、単一周波数ネットワーク（ＳＦＮ）動作である。詳細には、（たとえば、ＬＴＥコンテキストではマルチメディアブロードキャスト単一周波数ネットワーク（ＭＢＳＦＮ：multimedia broadcast single frequency network）として最近知られるようになっているものを含む）発展型ＭＢＭＳ（ｅＭＢＭＳ：evolved MBMS）としても知られるＬＴＥのためのＭＢＭＳおよびマルチメディアブロードキャストマルチキャストサービス（ＭＢＭＳ）  は、そのようなＳＦＮ動作を利用することができる。ＳＦＮは、加入者ＵＥと通信するために、たとえば、ｅＮＢなどの無線送信機を利用する。ｅＮＢのグループは、同期方式で情報を送信することができ、これは、複数のｅＮＢからのワイヤレス信号が受信局において互いに干渉するのではなく、互いに補強することを意味する。ｅＭＢＭＳのコンテキストでは、共有コンテンツが、ＬＴＥネットワークの複数のｅＮＢから複数のＵＥに送信される。したがって、所与のｅＭＢＭＳエリア内で、ＵＥは、同じＭＢＳＦＮサービスエリアに属する無線範囲内の任意のｅＮＢ（または複数のｅＮＢ）からｅＭＢＭＳ信号を受信し得る。しかしながら、ｅＭＢＭＳ信号を復号するために、各ＵＥは、非ｅＭＢＭＳチャネルを介してサービングｅＮＢからマルチキャスト制御チャネル（ＭＣＣＨ：Multicast Control Channel）情報を受信する。ＭＣＣＨ情報は時間ごとに変化し、変更の通知は、別の非ｅＭＢＭＳチャネルのＰＤＣＣＨを通じて与えられる。したがって、特定のｅＭＢＭＳエリア内のｅＭＢＭＳ信号を復号するために、各ＵＥは、エリア中のｅＮＢのうちの１つによってＭＣＣＨおよびＰＤＣＣＨ信号が与えられる。
【００３８】
本開示の主題の態様によれば、ｅＭＢＭＳのためのシングルキャリア最適化に関する特徴を有するワイヤレスネットワーク（たとえば、３ＧＰＰネットワーク）が提供される。ｅＭＢＭＳは、ＬＴＥネットワークから、たとえば、ＵＥなどの複数のモバイルデバイスに共有コンテンツを送信するための効率的な方法を与え得る。
【００３９】
ＬＴＥ周波数分割複信（ＦＤＤ：Frequency Division Duplex）のためのｅＭＢＭＳの物理レイヤ（ＰＨＹ）について、チャネル構造は、混合されたキャリア上でのｅＭＢＭＳ送信とユニキャスト送信との間の時分割多重化（ＴＤＭ：time division multiplexing）リソース区分を備え、それによって、柔軟な動的なスペクトル利用が可能になり得る。現在、マルチメディアブロードキャスト単一周波数ネットワーク（ＭＢＳＦＮ）サブフレームとして知られる、サブフレームのサブセット（最大６０％）が、ｅＭＢＭＳ送信のために予約され得る。したがって、現在のｅＭＢＭＳ設計では、ｅＭＢＭＳのために１０個のサブフレームのうち最大６つが使用可能になる。
【００４０】
ｅＭＢＭＳのためのサブフレーム割り振りの一例を図４に示し、図４に、シングルキャリアの場合の、ＭＢＳＦＮサブフレーム４００へのＭＢＳＦＮ基準信号の既存の割り振りを示す。図４に示す構成要素は、図２に示した構成要素に対応し、図４に、各スロット４０２およびリソースブロック（ＲＢ）４０４内の個々のサブキャリアを示す。３ＧＰＰ  ＬＴＥにおいて、ＲＢ４０４は、０．５ｍｓのスロット期間にわたる１２個のサブキャリアにわたり、各サブキャリアは、１５ｋＨｚの帯域幅を有する。したがって、１２個のサブキャリアは全体としてＲＢごとに１８０ｋＨｚにわたる。サブフレームは、ユニキャストまたはｅＭＢＭＳのために割り振られ得、たとえば、０〜９に番号付けされた１０個のサブフレーム４０８のシーケンスの中で、ＦＤＤでは、サブフレーム０、４、５、および９がｅＭＢＭＳから除外され得る。また、時分割複信（ＴＤＤ）では、サブフレーム０、１、５、および６がｅＭＢＭＳから除外され得る。より詳細には、サブフレーム０、４、５、および９は、ＰＳＳ／ＳＳＳ／ＰＢＣＨ／ページング／システム情報ブロック（ＳＩＢ：system information block）およびユニキャストサービスのために使用され得る。シーケンス中の残りのサブフレーム、たとえば、サブフレーム１、２、３、６、７、および８は、ｅＭＢＭＳサブフレームとして構成され得る。
【００４１】
引き続き図４を参照すると、各ｅＭＢＭＳサブフレーム４００内で、最初の１または２つのシンボルが、ユニキャスト基準シンボル（ＲＳ：reference symbol）および制御シグナリングのために使用され得る。最初の１または２つのシンボルのＣＰ長は、サブフレーム０のＣＰ長に従い得る。隣接するサブフレームでＣＰ長が異なる場合、最初の１または２つのシンボルとｅＭＢＭＳシンボルとの間に送信ギャップが発生し得る。関係する態様では、全体的なｅＭＢＭＳ帯域幅の利用率は、ＲＳオーバーヘッド（たとえば、各ｅＭＢＭＳサブフレーム内の６つのｅＭＢＭＳサブフレームと２つの制御シンボル）を考慮すると、４２．５％であり得る。ＭＢＳＦＮ  ＲＳおよびユニキャストＲＳを与えるための知られている技法は、一般に、（図４に示すように）ＭＢＳＦＮサブフレームにＭＢＳＦＮ  ＲＳを割り振り、非ＭＢＳＦＮサブフレームにユニキャストＲＳを別個に割り振ることを伴う。より詳細には、図４に示すように、ＭＢＳＦＮサブフレーム４００の拡張ＣＰは、ＭＢＳＦＮ  ＲＳ４１０を含むがユニキャストＲＳを含まない。本技術は、限定ではなく例として提示した図２および図４に示した特定のフレーム割り振り方式に限定されない。マルチキャストブロードキャストと呼ばれることもあるマルチキャストセッションは、任意の好適なフレーム割り振り方式を使用し得る。
【００４２】
ｅＭＢＭＳサービスエリア  
図５に、それら自体が複数のセルまたは基地局５１０を含む、複数のＭＢＳＦＮエリア５０４、５０６、５０８を包含するＭＢＭＳサービスエリア５０２を含むシステム５００を示す。本明細書で使用する「ＭＢＭＳサービスエリア」は、あるＭＢＭＳサービスが利用可能であるワイヤレス送信セルのグループを指す。たとえば、特定のスポーツ番組または他の番組が、特定の時間にＭＢＭＳサービスエリア内で基地局によってブロードキャストされ得る。特定の番組がブロードキャストされるエリアがＭＢＭＳサービスエリアを定義する。ＭＢＭＳサービスエリアは、５０４、５０６および５０８に示すように１つまたは複数の「ＭＢＳＦＮエリア」から構成され得る。本明細書で使用するＭＢＳＦＮエリアは、ＭＢＳＦＮプロトコルを使用して同期方式で特定の番組を現在ブロードキャストしているセル（たとえば、セル５１０）のグループを指す。「ＭＢＳＦＮ同期エリア」は、セルのグループが現在そうしているかどうかにかかわらず、セルのグループがＭＢＳＦＮプロトコルを使用してある特定の番組をブロードキャストするために同期方式で動作することが可能であるような方法で相互接続され、構成されたセルのグループを指す。各ｅＮＢは、所与の周波数レイヤ上で、ただ１つのＭＢＳＦＮ同期エリアにしか属することができない。ＭＢＭＳサービスエリア５０２が１つまたは複数のＭＢＳＦＮ同期エリア（図示せず）を含み得ることは注意に値する。逆に、ＭＢＳＦＮ同期エリアは、１つまたは複数のＭＢＳＦＮエリアまたはＭＢＭＳサービスエリアを含み得る。概して、ＭＢＳＦＮエリアは、単一のＭＢＳＦＮ同期エリアのすべてまたはその一部分から構成され、単一のＭＢＭＳサービスエリア内に位置する。様々なＭＢＳＦＮエリアの重複がサポートされ、単一のｅＮＢは、単一の同期エリア内のいくつかの異なるＭＢＳＦＮエリアに属し得る。たとえば、異なるＭＢＳＦＮエリアでのメンバーシップをサポートするために、システム情報ブロック（ＳＩＢ）１３において最高８つの独立ＭＣＣＨが構成され得る。ＭＢＳＦＮエリア予約セルまたは基地局は、ＭＢＳＦＮ送信に寄与しないＭＢＳＦＮエリア内のセル／基地局、たとえば、ＭＢＳＦＮ同期エリアの境界に近いセル、またはそれのロケーションのためにＭＢＳＦＮ送信に必要とされないセルである。
【００４３】
ｅＭＢＭＳシステム構成要素および機能  
図６に、ＭＢＳＦＮサービスを提供またはサポートするためのワイヤレス通信システム６００の機能エンティティを示す。サービス品質（ＱｏＳ）に関して、システム６００は、保証ビットレート（ＧＢＲ：Guaranteed Bit Rate）タイプのＭＢＭＳベアラを使用し得、最大ビットレート（ＭＢＲ：Maximum Bit Rate）はＧＢＲに等しい。これらの構成要素は、例として示し、説明するものであり、本明細書で説明する発明概念を限定するものではなく、その発明概念は、マルチキャスト送信を配信し制御するための他のアーキテクチャおよび機能分散に適合され得る。
【００４４】
システム６００は、ＭＢＭＳゲートウェイ（ＭＢＭＳ  ＧＷ：MBMS Gate Way）６１６を含み得る。ＭＢＭＳ  ＧＷ  ６１６は、Ｍ１インターフェースを介してｅノードＢ６０４へのＭＢＭＳユーザプレーンデータのインターネットプロトコル（ＩＰ）マルチキャスト配信を制御し、「Ｍ１」は、ＬＴＥの技術仕様、および関係する仕様によって記載されている論理インターフェースを指し、多くの可能なｅＮＢのうちの１つのｅＮＢ６０４が示されている。さらに、ＭＢＭＳ  ＧＷは、Ｍ１インターフェースを介して、ＵＴＲＡＮ無線ネットワークコントローラ（ＲＮＣ：Radio Network Controller）６２０へのＭＢＭＳユーザプレーンデータのＩＰマルチキャスト配信を制御し、多くの可能なＲＮＣのうちの１つのＵＴＲＡＮ  ＲＮＣ６２０が示されている。Ｍ１インターフェースは、ＭＢＭＳデータ（ユーザプレーン）に関連付けられ、データパケットの配信のためにＩＰを利用する。ｅＮＢ６０４は、Ｅ−ＵＴＲＡＮ  Ｕｕインターフェースを介してＵＥ／モバイルデバイス６０２にＭＢＭＳコンテンツを与え得、「Ｕｕ」は、ＬＴＥの技術仕様および関係する仕様によって記載されているエアインターフェースを指す。ＲＮＣ６２０は、Ｕｕインターフェースを介してＵＥモバイルデバイス６２２にＭＢＭＳコンテンツを与え得る。ＭＢＭＳ  ＧＷ６１６は、さらに、モビリティ管理エンティティ（ＭＭＥ）６０８およびＳｍインターフェースを介して、ＭＢＭＳセッション制御シグナリング、たとえば、ＭＢＭＳセッション開始およびセッション停止を実行し得、「Ｓｍ」は、ＬＴＥの技術仕様および関係する仕様によって記載されている論理インターフェースを指す。ＭＢＭＳ  ＧＷ６１６は、さらに、ＳＧ−ｍｂ（ユーザプレーン）基準点を通してＭＢＭＳベアラを使用してエンティティのためのインターフェースを与え、ＳＧｉ−ｍｂ（制御プレーン）基準点を通してＭＢＭＳベアラを使用してエンティティのためのインターフェースを与え得、「ＳＧ−ｍｂ」および「ＳＧｉ−ｍｂ」は、ＬＴＥの技術仕様および関係する仕様によって記載されている論理インターフェースを指す。ＳＧ−ｍｂインターフェースは、ＭＢＭＳベアラサービス固有のシグナリングを搬送する。ＳＧｉ−ｍｂインターフェースは、ＭＢＭＳデータ配信のためのユーザプレーンインターフェースである。ＭＢＭＳデータ配信は、デフォルトモードであり得るＩＰユニキャスト送信によって、またはＩＰマルチキャスティングによって実行され得る。ＭＢＭＳ  ＧＷ６１６は、サービング汎用パケット無線サービスサポートノード（ＳＧＳＮ：Serving General Packet Radio Service Support Node）６１８およびＳｎ／Ｉｕインターフェースを介してＵＴＲＡＮ上でＭＢＭＳのための制御プレーン機能を与え得る。
【００４５】
システム６００は、さらに、マルチキャスト協調エンティティ（ＭＣＥ）６０６を含み得る。ＭＣＥ６０６は、ＭＢＭＳコンテンツのための承認制御機能を実行し、ＭＢＳＦＮ動作を使用したマルチセルＭＢＭＳ送信のためにＭＢＳＦＮエリア中のすべてのｅＮＢによって使用される、時間および周波数無線リソースを割り振り得る。ＭＣＥ６０６は、たとえば、変調およびコーディング方式など、ＭＢＳＦＮエリアの無線構成を判断し得る。ＭＣＥ６０６は、ＭＢＭＳコンテンツのユーザプレーン送信をスケジューリングおよび制御し、どのサービスがどのマルチキャストチャネル（ＭＣＨ）で多重化されるべきかを判断することによって、ｅＭＢＭＳサービスの多重化を管理し得る。ＭＣＥ６０６は、Ｍ３インターフェースを通してＭＭＥ６０８とのＭＢＭＳセッション制御シグナリングに参加し得、制御プレーンインターフェースＭ２にｅＮＢ６０４を与え得、「Ｍ２」および「Ｍ３」は、ＬＴＥの技術仕様および関係する仕様によって記載されている論理インターフェースを指す。
【００４６】
システム６００は、さらに、コンテンツプロバイダサーバ６１４と通信しているブロードキャストマルチキャストサービスセンター（ＢＭ−ＳＣ）６１２を含み得る。ＢＭ−ＳＣ６１６は、コンテンツプロバイダ６１４などの１つまたは複数のソースからのマルチキャストコンテンツの取り込みを処理し、以下で説明するように、他のより高いレベルの管理機能を与え得る。これらの機能は、たとえば、識別されたＵＥのＭＢＭＳサービスの認証および開始を含む、メンバーシップ機能を含み得る。ＢＭ−ＳＣ６１６は、さらに、ＭＢＭＳセッションおよび送信機能、ライブブロードキャストのスケジューリング、ならびにＭＢＭＳを含む配信および関連する配信機能を実行し得る。ＢＭ−ＳＣ６１６は、さらに、マルチキャストのために利用可能な広告コンテンツなど、サービス広告および説明を与え得る。ＵＥとＢＭ−ＳＣとの間で制御メッセージを搬送するために、別個のパケットデータプロトコル（ＰＤＰ：Packet Data Protocol）コンテキストが使用され得る。ＢＭ−ＳＣは、さらに、キー管理などのセキュリティ機能を与え、データ量およびＱｏＳなどのパラメータに従ってコンテンツプロバイダの課金を管理し、ＵＴＲＡＮにおいて、およびマルチキャストブロードキャストモードではＥ−ＵＴＲＡＮにおいてＭＢＭＳのコンテンツ同期を行い、ＵＴＲＡＮにおいてＭＢＳＦＮデータのヘッダ圧縮を行い得る。ＢＭ−ＳＣ６１２は、ＱｏＳおよびＭＢＭＳサービスエリアなどのセッション属性を含めて、セッション開始、更新、および停止をＭＢＭＳ−ＧＷ６１６に示し得る。
【００４７】
システム６００は、さらに、ＭＣＥ６０６およびＭＢＭＳゲートウェイ（ＧＷ）６１６と通信しているマルチキャスト管理エンティティ（ＭＭＥ：Multicast Management Entity）６０８を含み得る。ＭＭＥ６０８は、Ｅ−ＵＴＲＡＮ上でＭＢＭＳのための制御プレーン機能を与え得る。さらに、ＭＭＥは、ｅＮＢ６０４に、ＭＢＭＳ−ＧＷ６１６によって定義されたマルチキャスト関連情報を与え得る。ＭＢＭＳ制御シグナリング、たとえば、セッション開始および停止信号を搬送するために、ＭＭＥ６０８とＭＢＭＳ−ＧＷ６１６との間のＳｍインターフェースが使用され得る。
【００４８】
システム６００は、さらに、時々Ｐ−ＧＷと省略されるパケットデータネットワーク（ＰＤＮ：Packet Data Network）ゲートウェイ（ＧＷ）６１０を含み得る。Ｐ−ＧＷ６１０は、シグナリングおよび／またはユーザデータのために、ＵＥ６０２とＢＭ−ＳＣ６１２との間にＥｖｏｌｖｅｄ  Ｐａｃｋｅｔ  Ｓｙｓｔｅｍ（ＥＰＳ）ベアラを与え得る。したがって、Ｐ−ＧＷは、ＵＥに割り当てられたＩＰアドレスに関連するＵＥから発信されたＵｎｉｆｏｒｍ  Ｒｅｓｏｕｒｃｅ  Ｌｏｃａｔｏｒ（ＵＲＬ）ベース要求を受信し得る。ＢＭ−ＳＣ６１２はまた、Ｐ−ＧＷ６１０を介して１つまたは複数のコンテンツプロバイダにリンクされ得、Ｐ−ＧＷ６１０は、ＩＰインターフェースを介してＢＭ−ＳＣ６１２と通信し得る。
【００４９】
システムは、本明細書で開示する方法および装置の態様を可能にするために、いくつかのシステム構成要素間の直接通信を可能にする新しいインターフェースを含み得る。たとえば、ｅＮＢ６０４とＢＭ−ＳＣ６１２との間の直接インターフェース６２４が与えられ得る。さらなる例として、ＭＣＥ６０６とＢＭ−ＳＣ６１２との間の直接インターフェース６２６が与えられ得る。ｅＮＢ６０４はまた、運用および保守（Ｏ＆Ｍ）リンク６２８を介して、限定はしないがＢＭ−ＳＣを含む様々なシステム構成要素に間接的にリンクされ得る。
【００５０】
動的適応ストリーミングオーバーＨＴＴＰ（ＤＡＳＨ：DYNAMIC ADAPTIVE STREAMING OVER HTTP）  
ユニキャスト送信における動的適応ストリーミングは、３ＧＰＰ２  ＴＳ  ２６．２４７  ｖ．１．３．０（２０１１−０３）「Dynamic Adaptive Streaming over HTTP (3GP-DASH)」に記載されている。上記の文書に記載されているＤＡＳＨは、メディア構成要素を受信しているユニキャスト接続の、モバイルデバイス自体の観測サービス品質（ＱｏＳ）に基づいてビデオビットレート、解像度、または他のＱ値を選択することによってモバイルデバイスレベルで動作する。モバイルエンティティは、それ自体のハードウェア構成およびユニキャストＱｏＳに基づいてそれの所望のサービス品質を示す。ユニキャスト送信のサービス品質を制御するネットワークエンティティ、たとえば、ＢＭ−ＳＣは、要求されたサービス品質、たとえば、ビデオまたはオーディオビットレート、解像度、ディスプレイサイズなどを与えるために、モバイルエンティティからの指示に応答する。この適応ストリーミング能力は動的であるように設計されており、これは、サービス品質がユニキャスト送信中に調整され得ることを意味し、たとえば、モバイルデバイスの移動または他のファクタにより、または、代替ワイヤレスデバイスへのユニキャストメディアセッションの転送をサポートするために、ユニキャスト信号対雑音比（ＳＮＲ）が変化するので、サービス品質は指定されたフレーム境界または時間において調整され得る。概して、ユニキャストサービスを想定したＤＡＳＨは、モバイルデバイスから、ユニキャスト送信のサービス品質を制御する１つまたは複数のネットワークエンティティへのフィードバック機構に依拠する。サービス品質を制御するネットワークエンティティは、たとえば、接続されたネットワークにおいてユニキャストトランスポートを与えるワイヤレス通信システムの外部に常駐し得る。
【００５１】
マルチキャストにおける動的適応ＱｏＳ制御  
ユニキャスト送信用に開発されたＤＡＳＨは、概して、いくつかの理由のために、マルチキャスト送信のサービス品質を制御するために展開されないことがある。マルチキャストブロードキャストコンテキストでは、１つのモバイルデバイスのために可能であるか、または望ましいサービス品質が、同じソースから同じマルチキャスト送信を受信する他のモバイルデバイスにとって可能でないか、または望ましくないことがあるので、モバイルデバイスレベルでのサービス品質の選択は有用でないか、実現可能でない。この理由および他の理由のために、マルチキャストブロードキャストコンテキストでは、ネットワークインフラストラクチャは、マルチキャストブロードキャストデータ品質の選択を制御すべきである。さらに、現在のマルチキャストプロトコルは、マルチキャストセッションが開始した後にマルチキャストサービス品質に関する情報を搬送するための、モバイルデバイスレベルからマルチキャスト制御レベルへのフィードバックのための確立されたインターフェースまたは信号経路がない。代わりに、サービス品質は、各マルチキャストセッションの開始に固定され、マルチキャスト送信中に変化しない。たとえば、ｅＭＢＭＳでは、ストリーミングコンテンツは、トランスポートプロトコルとしてリアルタイムトランスポートプロトコル（ＲＴＰ：Real-Time transport Protocol）を使用する別個のフローを使用して配信される。ＲＴＰでは、ストリーミングセッションが開始するより前に、適用可能なストリーミングパラメータがクライアントデバイスに配信され、ストリーミングセッションが開始した後、これらのパラメータは変更されない。これらの理由および他の理由のために、システムオペレータおよび設計者は、マルチキャスト送信において動的適応ＱｏＳ能力を与える明確な動機、理由、または技術的方法がない。
【００５２】
しかしながら、マルチキャスト送信のために一種の動的適応サービスを適合することによって驚くべき利益が得られ得る。そのような利益には、たとえば、マルチキャスト送信の過程でネットワーク負荷ファクタの変化に基づいてＱｏＳを調整することを含めて、ネットワーク負荷ファクタに基づいてより最適なマルチキャストサービス品質を与えることが含まれ得る。マルチキャストネットワーク負荷ファクタは、たとえば、システム帯域幅、マルチキャスト（たとえば、ＭＢＳＦＮ）エリア特性、たとえば、平均セル半径およびマルチキャストエリア内のセルの数、マルチキャストエリアの外部の送信機からの干渉レベル、ユニキャスト負荷または需要、および要求された同時マルチキャストサービスの数を含み得る。システム帯域幅およびエリア特性は、所与のＭＢＳＦＮエリアまたは同様のマルチキャストエリアについて本質的に比較的静的であり得る。しかしながら、残りのネットワーク負荷ファクタは極めて動的であり得る（時間的に変動し得る）。隣接エリアにおいて負荷が変動するので干渉は変動し得る。ユニキャストサービスに対する需要は、時刻、曜日、および／または特殊イベントに基づいて変動し得る。同時マルチキャストサービスの数は同様に変動し得る。たとえば、特殊イベントまたはコンテンツの新しいリリース（たとえば、新しいゲームまたはビデオリリース）は、ある時間にいくつかのエリアにおいてコンテンツに対する需要を集中し得るが、他の時間には、より多数の、あまり個々に人気のないコンテンツがマルチキャストを介して利用可能になる。マルチキャストセッションのより多数の多様な選択が利用可能であるとき、アグリゲート利用可能帯域幅が同時マルチキャストセッションの増加に比例して増加しない場合、各同時セッションのために利用可能な帯域幅は減少することになる。より少ない同時マルチキャストセッションが利用可能であるときはその逆になる。さらに、ネットワークは、限定はしないがコンテンツタイプおよびターゲットデバイスタイプを含む様々な理由で、異なる同時マルチキャストサービスに利用可能帯域幅の異なるサイズのシェアを割り振り得る。
【００５３】
したがって、マルチキャスト送信のために利用可能な帯域幅は、マルチキャストセッションの持続時間内の比較的短い時間期間内でさえ、マルチキャストエリア内で実質的に変動することができる。たとえば、ユニキャストサービスの使用の減少と相まってあるエリアにおけるマルチキャストプログラムの数が減少するにつれて、いくつかの個々のマルチキャストサービスのために利用可能な帯域幅が、マルチキャストエリア内のベースラインレベルを上回って増加し得る。同様に、利用可能なマルチキャストプログラムの数が増加する、および／またはユニキャストの使用量が増加するにつれて、マルチキャストプログラムのための利用可能帯域幅が減少し得る。いずれの状況でも、１つまたは複数のマルチキャストセッションとの間の無線リソースの再割り振りを可能にするためにマルチキャストセッションを開始した後に、ストリーミングマルチキャストプログラムのＱｏＳを変更することが望ましいことがある。ＤＡＳＨによって定義された現在のプロトコルでは、クライアント（モバイルデバイス）がＱｏＳを要求する必要があり、これは、サーバからのモバイルデバイスの所望のＱｏＳメディアストリームセグメントをモバイルデバイスが通信し得るアップリンクチャネルがモバイルデバイスに割り振られることを暗示する。しかし、上記で説明したように、マルチキャストネットワークは、概して、所望のＱｏＳを通信するための対応するアップリンクチャネルのない、ネットワークからモバイルデバイスへの単向性チャネルとして動作する。
【００５４】
マルチキャスト送信における動的適応ＱｏＳの一般的なシステムレベルの態様を図７によって示し、マルチキャスト送信におけるＱｏＳ制御のためのネットワークレベルのコールフロー７００の一実施形態を示す。図示のコールフローは、ｅＭＢＭＳのための既存のプロトコルまたは他のブロードキャスト／マルチキャストプロトコルへの変更を必要とし得る。図６に示したシステム６００は、ＢＭ−ＳＣ７０６と、トランスポートネットワークとして概括的に記載される１つまたは複数の中間ノード７０４と、クライアント７０２、たとえば、モバイルデバイスとを含む図７に示すＭＢＭＳエリアにおいてｅＭＢＭＳまたは他のマルチキャストセッションのＱｏＳを動的に適合させるために使用され得る。しかしながら、本明細書で開示するシステムおよび方法は、ｅＭＢＭＳまたはＭＢＭＳ実装形態に限定されず、他のワイヤレス技術において実装され得る。
【００５５】
最初に、ＢＭ−ＳＣ７０６は、７０８において、マルチキャストセッションを開始し、ここで、コンテンツは、クライアント側でセッションをセットアップするための初期ＱｏＳパラメータを用いてマルチキャストセッションを介してストリーミングされる。マルチキャストセッションは、マルチキャスト送信またはマルチキャストブロードキャストと呼ばれることもあり、概して、明確な開始イベントと終了イベントとの間に存在するものとして理解されるべきであり、したがって、マルチキャストセッション／送信は、識別可能な持続時間を有するものとして理解されるべきである。概して、マルチキャストブロードキャストプロトコル（たとえば、ＭＢＭＳまたはｅＭＢＭＳ）では、マルチキャストトラフィックは、クライアントへの単方向（ダウンリンクのみ）である。トランスポートネットワークワイヤレス送信機の範囲内のあらゆるクライアントが、初期マルチキャスト送信７０８を受信し得、概して、複数のクライアントがマルチキャスト送信を受信することになる。説明を簡単にするために、単一のクライアント７０２が示されている。７１６において、クライアントは、トランスポートネットワーク７０４を介してＢＭ−ＳＣ７０６から受信したＱｏＳパラメータを使用して、マルチキャストコンテンツにアクセスする。一方、７１０において、トランスポートネットワークは、それ自体の負荷および利用可能帯域幅をモニタする。マルチキャストセッションが進行中である間、ネットワーク７０４は、ストリーミングマルチキャストセッション７０８中に最適なデータレートを判断し続け得る。「最適な」レートは、動的および／または静的制約を受ける競合リソース需要とリソース制限とのバランスをとること、たとえば、既存のおよび／または予期されたリソース制約が効果的にサポートすることができる最高データレートを判断することに基づき得る。代替または追加として、ＢＭ−ＳＣ７０６は、最適なデータレートを判断するか、またはそのような判断に関与し得る。７１２において、トランスポートネットワーク７０４は、７１０におけるそれの判断に応答して、ＢＭ−ＳＣ７０６に信号を与える。最新のネットワーク負荷状態に関してＢＭ−ＳＣを連続的に更新するために、信号は、マルチキャストセッション中に多数回送られ得る。信号は、ＢＭ−ＳＣに、ネットワーク負荷ファクタ、利用可能マルチキャスト帯域幅、またはその両方を示し得る。代替または追加として、信号は、意思決定機能がどこに分散されたかに応じて、所望の最適なデータレート、またはマルチキャストセッションについての他の適合ＱｏＳパラメータを示し得る。ＢＭ−ＳＣは、信号を受信し、マルチキャストセッションについての更新ＱｏＳパラメータを生成し得る。７１４において、ＢＭ−ＳＣは、マルチキャストブロードキャスト受信側、たとえば、クライアント７０２にトランスポートネットワークを介してマルチキャストセッションの継続コンテンツとともに更新パラメータを送る。７１８において、クライアント７０２は、更新ＱｏＳパラメータを使用して、マルチキャストコンテンツにアクセスする。
【００５６】
現在のマルチキャストプロトコルは、７１４に示したように、マルチキャストセッションが開始された後にクライアントに更新ＱｏＳパラメータを与えることをサポートしない。本明細書では、更新ＱｏＳパラメータを与えるための新しい方法および装置を開示する。同様に、７１０において示したネットワーク負荷モニタリング、および７１２において示したＢＭ−ＳＣまたは同様のエンティティへのネットワーク負荷ファクタまたは利用可能帯域幅のシグナリングは、以下で開示する新しい方法および装置の例によって可能になり得る。
【００５７】
ＢＭ−ＳＣは、ＭＢＭＳゲートウェイの上流に配置され得、本明細書で説明する方法のＱｏＳ制御態様を実装するための好適な候補であり得る。そのような場合、ＢＭ−ＳＣは、ＭＢＳＦＮ負荷ファクタに基づいて、マルチキャストサービスごとにＱｏＳを更新し得る。ＢＭ−ＳＣは、更新ＱｏＳを使用して、コンテンツプロバイダに異なるビデオビットレートまたは解像度を要求し得る。コンテンツプロバイダは、ＢＭ−ＳＣの要求に従って、マルチキャスト送信の要求ＱｏＳを用いてコンテンツを与え得る。代替的に、フローごとに、複数のストリームがＢＭ−ＳＣに送られ得、ＢＭ−ＳＣは、ＭＢＳＦＮエリアごとに適切なストリーム、たとえば、そのエリアの要求ＱｏＳに最も良く一致するストリームを選定し得る。ＢＭ−ＳＣは、適用可能なＭＢＳＦＮエリアのためのＭＣＥに更新ＱｏＳを伝搬し得る。ＭＣＥは、次いで、更新された変調符号化方式（ＭＣＳ：Modulation Coding Scheme）および各マルチキャストサービスに割り振られたサブフレームの数を含めて、マルチキャストサービスごとにＭＢＭＳリソースをスケジュールし得る。適用可能なＭＢＳＦＮエリア内のｅＮＢは、システム情報ブロック（ＳＩＢ）１３、ＭＣＣＨまたはマルチキャストトランスポートチャネル（ＭＴＣＨ：Multicast Transport Channel）送信を使用して更新され得る。ＵＥは、更新された物理マルチキャストチャネル（ＰＭＣＨ：Physical Multicast Channel）パラメータを使用してマルチキャストサービスを復号し得る。
【００５８】
例示的な方法および装置  
開示する主題に従って実施され得る方法は、様々なフローチャートを参照するとより良く理解され得る。説明を簡単にするために、方法を一連の行為／動作として図示し、説明する。しかしながら、いくつかの動作は、本明細書で図示および説明されるものとは異なる順序で、かつ／または他の動作と実質的に同時に行われ得るので、特許請求される主題は動作の数または順序によって限定されない。さらに、本明細書で説明する方法を実装するために、図示されたすべての動作が必要とされるとは限らない。動作に関連する機能は、ソフトウェア、ハードウェア、それらの組合せまたは任意の他の好適な手段（たとえば、デバイス、システム、プロセス、または構成要素）によって実装され得ることを諒解されたい。さらに、本明細書の全体にわたって開示する方法は、そのような方法を様々なデバイスに移送および転送することを可能にする製造品に符号化された命令および／またはデータとして記憶することが可能であることをさらに諒解されたい。方法は、代替的に、状態図など、一連の相互に関係する状態または事象として表現され得ることを、当業者は理解し、諒解するであろう。
【００５９】
ネットワークエンティティ／ＢＭ−ＳＣ  
図８Ａ〜図８Ｆに、ワイヤレス通信システム（ＷＣＳ）のネットワークエンティティからマルチキャスト送信のサービス品質（ＱｏＳ）を動的に制御するための関係する方法を示す。マルチキャスト送信は、複数のモバイルデバイスがその送信を受信し得るようにブロードキャストされ得る。ネットワークエンティティは、図７の７０６に示すようにＢＭ−ＳＣを備え得る。マルチキャストプロトコルはダウンリンクのみであり得るので、マルチキャスト送信を受信するどのモバイルデバイスも、ＢＭ−ＳＣにフィードバックを与えない。図８Ａに示す方法８００は、８０２において、初期ＱｏＳを有するマルチキャスト送信を開始することを含み得る。ネットワークエンティティは、ビットレート、メディアタイプ、解像度、フレームレート、またはマルチキャスト送信に必要な帯域幅に関する他のパラメータなどのパラメータを使用してＱｏＳを定義し得る。方法８００は、さらに、８０４において、１つまたは複数のネットワークエンティティが、マルチキャストエリアのネットワーク負荷ファクタに応答して、マルチキャスト送信の更新ＱｏＳを生成することを含み得る。マルチキャスト送信が終了より前に新しいＱｏＳで送信され得るという点で、更新ＱｏＳは、初期ＱｏＳと入れ替わり得る。ＱｏＳを更新することは、概して、新しいマルチキャストセッションを開始することなしに、マルチキャストセッション中にマルチキャスト送信のＱｏＳを変更することを含む。そのような場合、モバイルデバイスは、セッション中の後続のマルチキャストコンテンツを使用し続けることができるようにするために、更新ＱｏＳについて記述する情報を取得する必要があり得る。更新ＱｏＳは、初期ＱｏＳとは異なる帯域幅を必要とし得、マルチキャスト送信中に初期ＱｏＳを更新するように構成され得る。したがって、モバイルエンティティは、第１のＱｏＳを使用してマルチキャスト送信の最初の部分を受信し、それにアクセスし、その後、初期ＱｏＳとは異なる第２のＱｏＳを使用してマルチキャスト送信の第２の部分を受信し、それにアクセスし得る。この意味で、ネットワークエンティティは、マルチキャスト送信のＱｏＳを動的に制御するものとして説明されることがある。
【００６０】
ネットワークエンティティによって実行するための、ＱｏＳの更新を実施するための追加の動作８５０を図８Ｂに示す。動作８５０のうちの１つまたは複数は、方法８００の一部としてオプションとして実行され得る。動作８５０は、任意の動作順序で実行され得、または実行の特定の発生順を必要とすることなしに開発アルゴリズムによって包含され得る。動作は独立して実行され、相互排他的ではないことがある。したがって、別のダウンストリームまたはアップストリーム動作が実行されるかどうかにかかわらず、そのような動作のうちのいずれか１つが実行され得る。たとえば、方法８００が動作８５０のうちの少なくとも１つを含む場合、方法８００は、必ずしも、図示され得るいかなる（１つまたは複数の）後続のダウンストリーム動作をも含む必要なしに、少なくとも１つの動作の後に終了し得る。
【００６１】
追加の動作８５０は、８０５において、更新ＱｏＳを使用してマルチキャスト送信を更新することを含み得る。たとえば、ネットワークエンティティにより、マルチキャスト送信においてストリーミングされているコンテンツが新しいＱｏＳに従ってフォーマッティングされ、送信されるようになり得る。たとえば、新しいＱｏＳは、異なる解像度、フレームレートなどを有し得る。この動作８０５は、マルチキャストコンテンツのコンテンツサーバと協働して実行され得る。動作８５０は、８０６において、マルチキャスト送信を受信するモバイルエンティティに更新ＱｏＳを示すことをさらに含み得る。各々が、制御するネットワークエンティティからクライアントモバイルデバイスにパラメータ情報を与えるために使用され得る、この指示を与えるための様々なモードについて以下で説明する。使用中のマルチキャスト送信プロトコルは、ブロック８０８に示すように、ネットワークエンティティがモバイルエンティティからフィードバックを受信しないように構成され得る。ブロック８０８は、任意の追加の態様あるいは動作８５０または８６０を含む方法８００全体が、モバイルデバイスからいかなるフィードバックをも受信することなしにネットワークエンティティによってオプションとして実行され得ることを示す。たとえば、本方法は、モバイルデバイスからフィードバックを受信することを除外し得る。概して、更新ＱｏＳ８０６を示すことは、ブロック８１０に示すように、モバイルエンティティにメディア構成要素をストリーミングするためのパラメータを与えることを備え得る。パラメータは、たとえば、プロトコルＩＤ、メディアタイプ、既存のＳＤＰ帯域幅モディファイアをオプションとして使用するデータレート、メディアごとのＭＢＭＳベアラのモード、ＦＥＣ構成および関係するパラメータ、メディアごとの（１つまたは複数の）サービス言語、たとえば、３ＧＰＰ  ＴＳ  ２６．３４６の８．３．２．１および８．４において定義されているエクスペリエンス品質（ＱｏＥ：Quality of Experience）メトリック、ＱｏＳクラス識別子（ＱＣＩ：QoS Class Identifier）、割り振り保持優先順位（Allocation Retention Priority）、最大ビットレート（ＭＢＲ：Maximum Bit Rate）、オプションとして保証ビットレート（ＧＢＲ）、または他のパラメータデータを含み得る。
【００６２】
図８Ｃに示すように、追加の動作８５０は、８１２における第１の代替に従って、告知中で、指定されたフレーム境界または時間において効力を発するパラメータのうちの新しいパラメータを指定することによって更新ＱｏＳ８０６を示すことを含み得る。告知は、サービス告知プロシージャを使用して行われ得る。フレーム境界または時間は、マルチキャストコンテンツのフレームまたはタイムラインポイントに関係し得る。追加の動作８５０は、８１４において、ＱｏＳの、対応する計画された変更に関する告知を生成することをさらに含み得る。たとえば、ネットワークエンティティは、次回のＱｏＳ更新ごとにサービス告知を生成し得る。ブロック８１６〜ブロック８１８は、サービス告知を送信するための代替動作または補足動作に関する。追加の動作８５０は、８１６において、セッション記述プロトコル（ＳＤＰ）または修正されたＳＤＰに従って告知を送信することをさらに含み得る。代替または追加として、追加の動作８５０は、８１８において、ファイル記述テーブル（ＦＤＴ）または修正されたＦＤＴに従って告知を送信することをさらに含み得る。
【００６３】
図８Ｄに示すように、追加の動作８５０は、８２０の第２の代替に従って、対応する制御ストリーム中でパラメータを送ることによって更新ＱｏＳを示すこと８０６を含み得る。対応する制御ストリームは、１次マルチキャスト送信と同時にマルチキャストされ得る。すなわち、対応する制御ストリームは、動的に制御されている第１のマルチキャスト送信に関するデータを含む、第２のまたはパラレルのマルチキャスト送信を備え得る。対応するストリームは、ＱｏＳに専用の低ビットレートストリームと、オプションとして、メディアストリームに相関する他の制御データとを備え得る。ＱｏＳが更新されていない期間中に、たとえば、更新と更新の間に、対応する制御ストリームは、受信するクライアントによって無視され得るヌルデータまたは無意味データを備え得る。対応する制御ストリームによって必要とされるオーバーヘッドを低減するために、単一のアグリゲート制御ストリームを使用して２つ以上のマルチキャスト送信のためのＱｏＳ更新がブロードキャストされ得る。
【００６４】
図８Ｅに示すように、追加の動作８５０は、８２２の第２の代替に従って、マルチキャスト送信のためのストリームトランスポートプロトコルのヘッダ中にパラメータを含めることによって更新ＱｏＳを示すことを含み得る。ブロック８２３〜８２４に示すように、ストリームトランスポートプロトコルは、ＨＴＴＰプッシュプロトコルを備え得る。代替８２３では、動作８５０は、８２４において、修正された自律ＨＴＴＰプッシュプロトコルとしてストリームトランスポートプロトコルを構成することを含み得る。既存のＨＴＴＰプッシュプロトコルは、双方向チャネルをもつＴＣＰを使用することを必要とする。修正されたＨＴＴＰプッシュプロトコルでは、モバイルデバイスに自律的に送られるコンテンツ配信のためにサーバ側イベントが使用され得る。ＨＴＴＰプッシュプロトコルは、現在定義されているようにＨＴＴＰヘッダを使用し得るが、修正されたトランスポートプロトコルは、ユーザデータグラムプロトコル（ＵＤＰ：User Datagram Protocol）などの単方向トランスポートプロトコルを使用し得る。さらに、修正されたＨＴＴＰプッシュプロトコルは、モバイルデバイスからの要求を必要としないことがある。別の代替８２３に従って、動作８５０は、８２５において、ＨＴＴＰプッシュプロトコルとしてストリームトランスポートプロトコルを構成しないことを含み得る。この場合、ストリームトランスポートプロトコルは、トランスポートヘッダ中に所望のパラメータを含めるために変更される必要があり得る。
【００６５】
ネットワークエンティティによって実行するための、ＱｏＳの更新を実施するための追加の動作８６０を図８Ｆに示す。動作８６０のうちの１つまたは複数は、方法８００の一部としてオプションとして実行され得る。動作８６０のうちの１つまたは複数は、方法８００の一部としてオプションとして実行され得る。要素８６０は、任意の動作順序で実行され得、または実行の特定の発生順を必要とすることなしに開発アルゴリズムによって包含され得る。動作は独立して実行され、相互排他的ではない。したがって、別のダウンストリームまたはアップストリーム動作が実行されるかどうかにかかわらず、そのような動作のうちのいずれか１つが実行され得る。たとえば、方法８００が動作８６０のうちの少なくとも１つを含む場合、方法８００は、必ずしも、図示され得るいかなる（１つまたは複数の）後続のダウンストリーム動作をも含む必要なしに、少なくとも１つの動作の後に終了し得る。
【００６６】
動作８６０は、８３０において、ネットワーク負荷ファクタを示すフィードバックを取得するためにＷＣＳ内の中間ノードと通信することを含み得る。ここで、「ネットワーク負荷ファクタの指示」は、１つまたは複数のネットワーク負荷ファクタを示すデータ、またはマルチキャストのための利用可能帯域幅を示すデータ、または所望の帯域幅割り振りまたはサービス品質を示すデータを含むことを理解されたい。したがって、８３２に示すように、動作８６０は、更新ＱｏＳを取得するために中間ノードと通信することを含み得る。代替または追加として、８３４に示すように、動作８６０は、ＱｏＳまたはＱｏＳを制御する際に使用するネットワーク負荷ファクタに限定されない１つまたは複数の追加のファクタを取得するために中間ノードと通信することを含み得る。追加のファクタは、たとえば、ｅＭＢＭＳプログラミングについてのスケジュール情報、プログラム固有のＱｏＳ、または他の情報を含み得る。代替または追加として、８３６に示すように、動作８６０は、ネットワーク負荷ファクタを受信することを含み得、ネットワーク負荷ファクタは、マルチキャストエリアにおけるマルチキャスト送信のための利用可能帯域幅を示す。本明細書で使用する、「中間ノード」は、マルチキャストＱｏＳを制御するネットワークエンティティと、クライアントレベル（たとえば、ＵＥ７０２）との中間のトランスポートネットワークのノード、たとえば、トランスポートネットワーク７０４のノードを意味する。
【００６７】
中間ノードは、たとえば、ＭＣＥまたはｅＮＢを含み得る。帯域幅利用可能性を示すために、新しいメッセージがＭ２インターフェースに追加され得る。ＭＣＥは、マルチキャスト送信のための帯域幅割り振りを推定するために、ＭＢＳＦＮまたは他のマルチキャストエリア中の各ｅＮＢからのフィードバックを使用し得る。異なるマルチキャストエリアが同じコンテンツを異なるＱｏＳパラメータを使用して送信し得、たとえば、現在のＱｏＳは、同じストリーミングコンテンツ（たとえば、異なるＱｏＳで異なるエリアにストリーミングされる特定のビデオプログラム）について異なるエリアで異なり得る。したがって、動作８６０は、８３８において、マルチキャスト協調エンティティ（ＭＣＥ）からネットワーク負荷ファクタを受信することを含み得る。そのような場合、動作８６０は、８４０において、直接インターフェース上のメッセージ、いくつかのインターフェースを通して中継されるメッセージ、または運用および保守ベース指示のうちの少なくとも１つを介してＭＣＥからネットワーク負荷ファクタを受信することを含み得る。代替または追加として、動作８６０は、８４２において、ｅノードＢ（ｅＮＢ）からネットワーク負荷ファクタを直接受信することを含み得る。そのような場合、動作８６０は、８４４において、直接インターフェース上のメッセージ、いくつかのインターフェースを通して中継されるメッセージ、または運用および保守ベース指示のうちの少なくとも１つを介してｅＮＢからネットワーク負荷ファクタを受信することを同様に含み得る。負荷ファクタ、たとえば、帯域幅利用可能性を示すために、新しいメッセージがＭ１／ＳＧｉ−ｍｂインターフェースに追加され得る。
【００６８】
図９を参照すると、動的に適応可能なマルチキャストサービスを提供するための、ワイヤレスネットワークにおけるＢＭ−ＳＣとして、あるいはＢＭ−ＳＣ内で使用するためのプロセッサまたは同様のデバイスとして構成され得る例示的な装置９００が提供される。装置９００は、プロセッサ、ソフトウェア、またはそれらの組合せ（たとえば、ファームウェア）によって実装される機能を表すことができる機能ブロックを含み得る。
【００６９】
図示のように、一実施形態では、装置９００は、初期ＱｏＳを有するマルチキャスト送信を開始するための電気構成要素またはモジュール９０２を含み得る。たとえば、電気構成要素９０２は、ネットワークインターフェースなどと、トランスポートネットワークと協働してマルチキャスト送信を開始するための命令をもつメモリとに結合された少なくとも１つの制御プロセッサを含み得る。電気構成要素９０２は、初期ＱｏＳを有するマルチキャスト送信を開始するための手段であり得るか、またはその手段を含み得る。該手段は、１つまたは複数のプロセッサによって実行されるアルゴリズムを含み得る。アルゴリズムは、たとえば、マルチキャストエリア中の基地局へのネットワークインターフェースを介したマルチキャスト送信のための命令を与えることと、命令中に、または命令とともに、エアインターフェース上でマルチキャストセッションとしてマルチキャスト送信を実装するために基地局によって使用されるべき少なくとも１つのＱｏＳパラメータを含めることとを含み得る。
【００７０】
装置９００は、マルチキャスト送信の終了より前に初期ＱｏＳを更新するために、マルチキャストエリアのネットワーク負荷ファクタに応答して、マルチキャスト送信の更新ＱｏＳを生成するための電気構成要素９０４を含み得る。たとえば、電気構成要素９０４は、トランスポートネットワークの１つまたは複数の構成要素から受信したフィードバックに応答して、マルチキャスト送信中に更新ＱｏＳを生成するための命令を保持するメモリに結合された少なくとも１つの制御プロセッサを含み得る。電気構成要素９０４は、マルチキャスト送信の終了より前に、マルチキャストエリアのネットワーク負荷ファクタに応答して、マルチキャスト送信の更新ＱｏＳを生成するための手段であり得るか、またはその手段を含み得る。該手段は、１つまたは複数のプロセッサによって実行されるアルゴリズムを含み得る。アルゴリズムは、たとえば、ネットワーク負荷ファクタを測定することと、ネットワーク負荷ファクタの変化を検出することと、ネットワーク負荷ファクタの変化を検出したことに応答して、ネットワーク負荷ファクタに基づいて少なくとも１つのＱｏＳパラメータの更新された値を判断することとを含み得る。アルゴリズムは、さらに、セッションの初期ＱｏＳを更新ＱｏＳに入れ替え、更新ＱｏＳを使用してマルチキャスト送信を送信することによってエアインターフェース上でマルチキャストセッションのＱｏＳを更新するために、マルチキャストエリア中の基地局に少なくとも１つのＱｏＳパラメータの更新された値（すなわち、更新ＱｏＳ）を送信することを含み得る。装置９００は、例示的な簡単のために図９に示していない、図８Ｂ〜図８Ｆに関連して説明した追加の動作８５０および８６０のいずれかまたはすべてを実行するための同様の電気構成要素を含み得る。
【００７１】
関連する態様では、装置９００がネットワークエンティティとして構成された場合、装置９００は、少なくとも１つのプロセッサを有するプロセッサ構成要素９１０をオプションとして含み得る。プロセッサ９１０は、そのような場合、バス９１２または同様の通信結合を介して、構成要素９０２〜９０４または同様の構成要素と動作可能に通信し得る。プロセッサ９１０は、電気構成要素９０２〜９０４によって実行されるプロセスまたは機能の開始とスケジューリングとを実施し得る。
【００７２】
さらなる関係する態様では、装置９００は、他のネットワークエンティティと通信するためのネットワークインターフェース構成要素９１４、たとえば、イーサネット（登録商標）ポートまたはワイヤレスインターフェースを含み得る。装置９００は、たとえば、メモリデバイス／構成要素９１６など、情報を記憶するための構成要素をオプションとして含み得る。コンピュータ可読媒体またはメモリ構成要素９１６は、バス９１２などを介して装置９００の他の構成要素に動作可能に結合され得る。メモリ構成要素９１６は、構成要素９０２〜９０４、およびそれらの副構成要素、またはプロセッサ９１０、追加の動作８５０または８６０、あるいは本明細書で開示する方法のアクティビティを実行するためのコンピュータ可読命令およびデータを記憶するように適応され得る。メモリ構成要素９１６は、構成要素９０２〜９０４に関連する機能を実行するための命令を保持し得る。メモリ９１６の外部にあるものとして示されているが、構成要素９０２〜９０４はメモリ９１６内に存在することができることを理解されたい。
【００７３】
モバイルデバイス  
モバイルデバイスは、マルチキャスト送信の一部分にアクセスするために動的に更新されるＱｏＳ情報を使用するように構成され得る。それに応じて、図１０Ａに、動的に制御されるサービス品質（ＱｏＳ）を有するマルチキャスト送信を受信し、使用するための、ワイヤレス通信システムのモバイルデバイスによって実行され得る方法１０００を示す。方法１０００は、１００２において、ワイヤレス通信システムにおいてマルチキャスト送信を介してコンテンツ、たとえば、ストリーミングコンテンツを受信することを含み得る。初期ＱｏＳを有するマルチキャスト送信が受信され得、方法１０００は、初期ＱｏＳを使用してコンテンツの初期部分を処理することを含み得る。方法１０００は、１００４において、マルチキャスト送信中に更新ＱｏＳを受信することをさらに含み得、更新ＱｏＳは初期ＱｏＳとは異なる。方法１０００は、１００６において、更新ＱｏＳに従ってコンテンツの後続の部分を処理することをさらに含み得る。
【００７４】
さらに、図１０Ｂに、モバイルデバイスが動的に構成されたマルチキャスト送信を使用する際に使用するために実装され得るさらなるオプション要素１０５０を示す。要素１０５０は、任意の動作順序で実行され得、または実行の特定の発生順を必要とすることなしに開発アルゴリズムによって包含され得る。動作は独立して実行され、相互排他的ではない。したがって、別のダウンストリームまたはアップストリーム動作が実行されるかどうかにかかわらず、そのような動作のうちのいずれか１つが実行され得る。たとえば、方法１０００が図１０Ｂの少なくとも１つの動作を含む場合、方法１０００は、必ずしも、図示され得るいかなる（１つまたは複数の）後続のダウンストリーム動作をも含む必要なしに、少なくとも１つの動作の後に終了し得る。
【００７５】
追加の要素１０５０は、１００８において、モバイルデバイスが、コンテンツのメディアストリームを処理するためのパラメータを受信することを含めて、更新ＱｏＳを受信することを含み得る。パラメータは、たとえば、プロトコルＩＤ、メディアタイプ、既存のＳＤＰ帯域幅モディファイアをオプションとして使用するデータレート、メディアごとのＭＢＭＳベアラのモード、ＦＥＣ構成および関係するパラメータ、メディアごとの（１つまたは複数の）サービス言語、たとえば、３ＧＰＰ  ＴＳ  ２６．３４６の８．３．２．１および８．４において定義されているＱｏＥメトリック、ＱＣＩ、割り振り保持優先順位、ＭＢＲ、ならびに／またはオプションとしてＧＢＲを含み得る。追加の要素１０５０は、１０１０において、メディアストリームについてのパラメータを含んでいる対応する制御ストリームを受信することによってモバイルデバイスにおいてパラメータを受信することをさらに含み得る。たとえば、上記のように、対応する制御ストリームは、マルチキャスト制御エンティティからＷＣＳを通してブロードキャストされ得る。代替として、追加の要素１０５０は、１０１２において、モバイルデバイスが、各々がメディアストリームの１つまたは複数の指定されたフレーム境界または時間において効力を発するためのパラメータのうちの新しいパラメータを備える告知を受信することによって、パラメータを受信することをさらに含み得る。したがって、要素１０５０は、１０１４において、ＳＤＰまたは修正されたＳＤＰに従って告知のうちの複数の告知を受信することを含み得る。代替として、要素１０５０は、１０１６において、ＦＤＴまたは修正されたＦＤＴに従って告知のうちの複数の告知を受信することを含み得る。
【００７６】
さらなる代替では、要素１０５０は、１０１８において、モバイルエンティティがマルチキャスト送信のためのストリームトランスポートプロトコルのヘッダ中でパラメータを受信することを含み得る。そのような場合、要素１０５０は、１０２０において、ストリームトランスポートプロトコルのヘッダ中でパラメータを受信することを含み得、ストリームトランスポートプロトコルは、ＨＴＴＰプッシュプロトコルを備える。
【００７７】
図１１を参照すると、動的に適応可能なＱｏＳをもつマルチキャスト送信を使用するための、ワイヤレスネットワーク中のモバイルデバイスとして、あるいはモバイルデバイス内で使用するためのプロセッサまたは同様のデバイスとして構成され得る例示的な装置１１００が提供される。装置１１００は、プロセッサ、ソフトウェア、またはそれらの組合せ（たとえば、ファームウェア）によって実装される機能を表すことができる機能ブロックを含み得る。
【００７８】
図示のように、一実施形態では、装置１１００は、ワイヤレス通信システムにおいてマルチキャスト送信を介してコンテンツ、たとえば、ストリーミングコンテンツを受信するための電気構成要素またはモジュール１１０２を含み得る。たとえば、電気構成要素１１０２は、トランシーバなどと、マルチキャストコンテンツを受信し、使用するための命令をもつメモリとに結合された少なくとも１つの制御プロセッサを含み得る。電気構成要素１１０２は、ワイヤレス通信システムにおいてマルチキャスト送信を介してコンテンツ、たとえば、ストリーミングコンテンツを受信するための手段であり得るか、またはその手段を含み得る。該手段は、１つまたは複数のプロセッサによって実行されるアルゴリズムを含み得る。アルゴリズムは、たとえば、制御チャネルからマルチキャストシンボルを復号するための制御情報を受信することと、ワイヤレスインターフェース上で無線フレームを受信することと、制御情報を使用して無線フレームからデータを復号してコンテンツを取得することとを含み得る。
【００７９】
装置１１００は、さらに、マルチキャスト送信中に更新ＱｏＳを受信するための電気構成要素１１０４を含み得る。たとえば、電気構成要素１１０４は、トランシーバなどと、本明細書で説明する動作のうちの１つまたは複数に従って更新ＱｏＳを受信し、認識するための命令を保持するメモリとに結合された少なくとも１つの制御プロセッサを含み得る。電気構成要素１１０４は、マルチキャスト送信中に更新ＱｏＳを受信するための手段であり得るか、またはその手段を含み得る。該手段は、１つまたは複数のプロセッサによって実行されるアルゴリズムを含み得る。アルゴリズムは、たとえば、図１０Ｂに関連して説明した動作１０５０のうちの１つまたは複数を含み得る。
【００８０】
装置１１００は、さらに、更新ＱｏＳに従ってコンテンツの後続の部分を処理するための電気構成要素１１０６を含み得る。たとえば、電気構成要素１１０６は、トランシーバなどと、マルチキャストセッションを処理して、メディア出力、たとえば、ディスプレイデバイス上に表示するためのストリーミングオーディオビデオ出力を与えるための命令を保持するメモリとに結合された少なくとも１つの制御プロセッサを含み得る。電気構成要素１１０６は、更新ＱｏＳに従ってコンテンツの後続の部分を処理するための手段であり得るか、またはその手段を含み得る。該手段は、１つまたは複数のプロセッサによって実行されるアルゴリズムを含み得る。アルゴリズムは、たとえば、更新ＱｏＳを適用する、無線フレームの受信シーケンス中のポイントを判断することと、そのポイントの後に更新ＱｏＳに従って受信データを処理することとを含み得る。たとえば、更新ＱｏＳが更新されたフレームレートまたはビデオ解像度を含む場合、モバイルエンティティは、ＱｏＳが変化した後に受信したビデオデータを処理して、新しいフレームレートおよび／または解像度でビデオ出力を与え得る。装置１１００は、例示的な簡単のために図１１に示していない、図１０Ｂに関連して説明した追加の動作１０５０のいずれかまたはすべてを実行するための同様の電気構成要素を含み得る。
【００８１】
関係する態様では、装置１１００がモバイルエンティティとして構成された場合、装置１１００は、少なくとも１つのプロセッサを有するプロセッサ構成要素１１１０をオプションとして含み得る。プロセッサ１１１０は、そのような場合、バス１１１２または同様の通信結合を介して、構成要素１１０２〜１１０６または同様の構成要素と動作可能に通信し得る。プロセッサ１１１０は、電気構成要素１１０２〜１１０６によって実行されるプロセスまたは機能の開始とスケジューリングとを実施し得る。
【００８２】
さらなる関係する態様では、装置１１００は、無線トランシーバ構成要素１１１４を含み得る。トランシーバ１１１４の代わりにまたはトランシーバ１１１４とともに、スタンドアロン受信機および／またはスタンドアロン送信機が使用され得る。装置１１００は、たとえば、メモリデバイス／構成要素１１１６など、情報を記憶するための構成要素をオプションとして含み得る。コンピュータ可読媒体またはメモリ構成要素１１１６は、バス１１１２などを介して装置１１００の他の構成要素に動作可能に結合され得る。メモリ構成要素１１１６は、構成要素１１０２〜１１０６、およびそれらの副構成要素、またはプロセッサ１１１０、追加の態様１０５０、またはモバイルデバイスについて本明細書で開示する方法のアクティビティを実行するためのコンピュータ可読命令およびデータを記憶するように適応され得る。メモリ構成要素１１１６は、構成要素１１０２〜１１０６に関連する機能を実行するための命令を保持し得る。メモリ１１１６の外部にあるものとして示されているが、構成要素１１０２〜１１０６はメモリ１１１６の内部に存在することができることを理解されたい。
【００８３】
基地局  
基地局は、マルチキャスト送信のＱｏＳを動的に制御する際に使用するネットワーク負荷情報を測定し、与えるように構成され得る。ｅＮＢはマルチキャスト送信において使用される基地局を例示するが、他のワイヤレス基地局、たとえば、ピコセルまたはフェムトセル局は除外されない。図１２Ａに、マルチキャスト送信のＱｏＳを制御する際に使用する、ワイヤレス通信システムの基地局からの動的帯域幅利用可能性を示すための、ワイヤレス通信システムの基地局によって実行され得る方法１２００を示す。方法１２００は、１２０２において、マルチキャスト送信中に、少なくとも１つの動的に変化するパラメータに応答して、基地局においてマルチキャスト送信のための現在利用可能な帯域幅を判断することを含み得る。方法１２００は、１２０４において、アップストリームネットワークエンティティに、マルチキャスト送信のＱｏＳを制御する際に使用する現在利用可能な帯域幅を示すことをさらに含み得る。動作１２０４はまた、マルチキャスト送信中に実行され得る。
【００８４】
さらに、図１２Ｂに、マルチキャスト帯域幅利用可能性を示すための、基地局によって実装され得るさらなるオプション要素１２５０を示す。要素１２５０は、任意の動作順序で実行され得、または実行の特定の発生順を必要とすることなしに開発アルゴリズムによって包含され得る。動作は独立して実行され、相互排他的ではない。したがって、別のダウンストリームまたはアップストリーム動作が実行されるかどうかにかかわらず、そのような動作のうちのいずれか１つが実行され得る。たとえば、方法１２００が図１２Ｂの少なくとも１つの動作を含む場合、方法１２００は、必ずしも、図示され得るいかなる（１つまたは複数の）後続のダウンストリーム動作をも含む必要なしに、少なくとも１つの動作の後に終了し得る。
【００８５】
追加の要素１２５０は、１２０６において、基地局が、直接インターフェース上でメッセージを介してネットワークエンティティに現在利用可能な帯域幅の指示を送信することを含み得る。直接インターフェースは、２つのネットワークノード間で通信するための単一のインターフェース、たとえば、図６に示すように、ｅＮＢ６０４とＭＢＭＳ  ＧＷ６１６との間のＭ１インターフェース、またはｅＮＢ６０４とＢＭ−ＳＣ６１２との間の新しい直接インターフェース６２４を意味する。代替として、追加の要素１２５０は、１２０８において、基地局が、複数のインターフェースおよびネットワークノードを通して中継されるメッセージを介してネットワークエンティティに現在利用可能な帯域幅の指示を送信することをさらに含み得る。代替として、追加の要素１２５０は、１２１０において、基地局が、たとえば、図６の６２８に示すように、運用および保守ベース指示を使用してネットワークエンティティに現在利用可能な帯域幅の指示を与えることをさらに含み得る。
【００８６】
図１２Ｃに示すように、一態様では、要素１２５０は、１２１２において、現在利用可能な帯域幅を判断するために基地局によって使用される動的に変化するパラメータ中に１つまたは複数の近隣基地局からの干渉の測定値を含めることを含み得る。代替または追加として、要素１２５０は、１２１４において、現在利用可能な帯域幅を判断するために基地局によって使用される動的に変化するパラメータ中にユニキャストサービスに割り振られた帯域幅の測定値を含めることを含み得る。代替または追加として、要素１２５０は、１２１６において、現在利用可能な帯域幅を判断するための動的に変化するパラメータ中に他のマルチキャストサービスまたは送信に割り振られた帯域幅の測定値を含めることを含み得る。
【００８７】
図１３を参照すると、マルチキャスト送信のＱｏＳを制御する際に使用する、ワイヤレス通信システムの基地局からの動的帯域幅利用可能性を示すための、ワイヤレスネットワーク中の基地局として、あるいは基地局内で使用するためのプロセッサまたは同様のデバイスとして構成され得る例示的な装置１３００が提供される。装置１３００は、プロセッサ、ソフトウェア、またはそれらの組合せ（たとえば、ファームウェア）によって実装される機能を表すことができる機能ブロックを含み得る。
【００８８】
図示のように、一実施形態では、装置１３００は、マルチキャスト送信中に、少なくとも１つの動的に変化するパラメータに応答して、基地局においてマルチキャスト送信のための現在利用可能な帯域幅を判断するための電気構成要素またはモジュール１３０２を含み得る。たとえば、電気構成要素１３０２は、ネットワークインターフェースなどと、本明細書で開示する動的測定パラメータを使用して利用可能帯域幅を判断するための命令をもつメモリとに結合された少なくとも１つの制御プロセッサを含み得る。電気構成要素１３０２は、マルチキャスト送信中に、少なくとも１つの動的に変化するパラメータに応答して、基地局においてマルチキャスト送信のための現在利用可能な帯域幅を判断するための手段であり得るか、またはその手段を含み得る。該手段は、１つまたは複数のプロセッサによって実行されるアルゴリズムを含み得る。アルゴリズムは、たとえば、図１２Ｃに関連して示した動作１２５０のうちの少なくとも１つを使用して利用可能な（たとえば、未使用の）ダウンリンク帯域幅を測定することを含み得る。
【００８９】
装置１３００は、アップストリームネットワークエンティティに、マルチキャスト送信のＱｏＳを制御する際に使用する現在利用可能な帯域幅を示すための電気構成要素１３０４を含み得る。たとえば、電気構成要素１３０４は、本明細書で開示するシグナリング動作またはインターフェースのいずれかを使用してアップストリームエンティティにネットワーク負荷ファクタ、たとえば、利用可能帯域幅をシグナリングするための命令を保持するメモリに結合された少なくとも１つの制御プロセッサを含み得る。電気構成要素１３０４は、アップストリームネットワークエンティティに、マルチキャスト送信のＱｏＳを制御する際に使用する現在利用可能な帯域幅を示すための手段であり得るか、またはその手段を含み得る。該手段は、１つまたは複数のプロセッサによって実行されるアルゴリズムを含み得る。アルゴリズムは、たとえば、ベンチマーク（たとえば、全帯域幅の割合または比率）に対して正規化することによって、または絶対値（たとえば、利用可能なビット／秒）を表すことによって利用可能帯域幅の測定値を定量化することと、定量的情報を、ＱｏＳを制御するアップストリームエンティティへの信号に記号的に符号化することとを含み得る。装置１３００は、例示的な簡単のために図１３に示していない、図１２Ｂ〜図１２Ｃに関連して説明した追加の動作１２５０のいずれかまたはすべてを実行するための同様の電気構成要素を含み得る。
【００９０】
関連する態様では、装置１３００がネットワークエンティティとして構成された場合、装置１３００は、少なくとも１つのプロセッサを有するプロセッサ構成要素１３１０をオプションとして含み得る。プロセッサ１３１０は、そのような場合、バス１３１２または同様の通信結合を介して、構成要素１３２０〜１３０４または同様の構成要素と動作可能に通信し得る。プロセッサ１３１０は、電気構成要素１３０２〜１３０４によって実行されるプロセスまたは機能の開始とスケジューリングとを実施し得る。
【００９１】
さらなる関係する態様では、装置１３００は、他のネットワークエンティティと通信するためのネットワークインターフェース構成要素１３１４を含み得る。装置１３００は、たとえば、メモリデバイス／構成要素１３１６など、情報を記憶するための構成要素をオプションとして含み得る。コンピュータ可読媒体またはメモリ構成要素１３１６は、バス１３１２などを介して装置１３００の他の構成要素に動作可能に結合され得る。メモリ構成要素１３１６は、構成要素１３０２〜１３０４、およびそれらの副構成要素、またはプロセッサ１３１０、追加の動作１２５０、または本明細書で開示する方法のアクティビティを実行するためのコンピュータ可読命令およびデータを記憶するように適応され得る。メモリ構成要素１３１６は、構成要素１３０２〜１３０４に関連する機能を実行するための命令を保持し得る。メモリ１３１６の外部にあるものとして示されているが、構成要素１３０２〜１３０４はメモリ１３１６の内部に存在することができることを理解されたい。
【００９２】
中間ネットワークエンティティ  
中間ネットワークエンティティ、たとえば、ＭＣＥは、マルチキャストエリアにおいてマルチキャスト送信のＱｏＳを動的に制御する際に使用する、マルチキャストエリアからのネットワーク負荷情報をアグリゲートし、与えるように構成され得る。図１４Ａに、マルチキャスト送信のＱｏＳを制御する際に使用する、ＷＣＳのネットワークエンティティからの動的帯域幅利用可能性を判断するための、ワイヤレス通信システムの中間ネットワークエンティティによって実行され得る方法１４００を示す。方法１４００は、１４０２において、ＷＣＳのマルチキャストエリアにおいてマルチキャスト送信のコンテンツを受信する基地局から現在利用可能な帯域幅の測定値を受信することを含み得る。測定値は、異なる時間に受信され得、現在の状態に応答して変化し得る。基地局は、たとえば、ｅＭＢＭＳとしてマルチキャスト送信をブロードキャストしていることがある。方法１４００は、１４０４において、マルチキャスト送信中に、マルチキャストエリアにおけるマルチキャスト送信のためのアグリゲート利用可能帯域幅の測定値を判断することをさらに含み得る。本明細書で使用する、アグリゲート利用可能帯域幅は、マルチキャストエリア中の基地局からのネットワーク負荷／帯域幅利用可能性情報、たとえば、和、重み付き平均、平均値、最小値、最大値、中央値、または利用可能帯域幅の他のアグリゲート測定値を処理することによって判断された、マルチキャストエリアのための利用可能帯域幅の測定値を示す。したがって、アグリゲート利用可能帯域幅は、エリアにおいて１つまたは複数のマルチキャストサービスに割り振られた帯域幅が増加されたか、減少されたか、または静的なままであるか否かを示すために使用され得る。方法１４００は、１４０６において、マルチキャスト送信のＱｏＳを制御する際に使用するアグリゲート利用可能帯域幅の測定値を示すことをさらに含み得る。
【００９３】
さらに、図１４Ｂに、マルチキャスト帯域幅利用可能性を示すための、中間ネットワークエンティティによって実装され得るさらなるオプション要素１４５０を示す。要素１４５０は、任意の動作順序で実行され得、または実行の特定の発生順を必要とすることなしに開発アルゴリズムによって包含され得る。動作は独立して実行され、相互排他的ではない。したがって、別のダウンストリームまたはアップストリーム動作が実行されるかどうかにかかわらず、そのような動作のうちのいずれか１つが実行され得る。たとえば、方法１４００が追加の動作１４５０のうちの少なくとも１つを含む場合、方法１４００は、必ずしも、図示され得るいかなる（１つまたは複数の）後続のダウンストリーム動作をも含む必要なしに、少なくとも１つの動作の後に終了し得る。
【００９４】
追加の要素１４５０は、１４０８において、中間ネットワークエンティティが、アップストリームネットワークエンティティにアグリゲート利用可能帯域幅の指示を送信することによってアグリゲート利用可能帯域幅を示すことを含み得る。動作１４０８は、アグリゲート測定値が関係する１つまたは複数のマルチキャスト送信セッション中に実行され得る。代替として、追加の要素１４５０は、１４１０において、中間ネットワークエンティティが、アップストリームネットワークエンティティに直接インターフェース上でメッセージを介して指示を送信することによってアグリゲート利用可能帯域幅を示すことをさらに含み得る。代替として、追加の要素１４５０は、１４１２において、中間ネットワークエンティティが、アップストリームネットワークエンティティにいくつかのインターフェースを通して中継されるメッセージを介して現在利用可能な帯域幅の指示を送信することによってアグリゲート利用可能帯域幅を示すことをさらに含み得る。代替として、追加の要素１４５０は、１４１６において、ネットワークエンティティが、運用および保守ベース指示を使用してアップストリームネットワークエンティティに現在利用可能な帯域幅の指示を与えることによってアグリゲート利用可能帯域幅を示すことをさらに含み得る。アグリゲート利用可能帯域幅を判断する、および／または図１４Ａ〜図１４Ｂに示した他の動作を実行する中間ネットワークエンティティは、マルチキャスト協調エンティティ（ＭＣＥ）であり得るか、またはそれを含み得る。
【００９５】
図１５を参照すると、マルチキャスト送信のＱｏＳを制御する際に使用する、ＷＣＳのネットワークエンティティからの現在の帯域幅利用可能性を判断するための、ワイヤレスネットワーク中の中間ネットワークエンティティとして、あるいはネットワークエンティティ内で使用するためのプロセッサまたは同様のデバイスとして構成され得る例示的な装置１５００が提供される。装置１５００は、プロセッサ、ソフトウェア、またはそれらの組合せ（たとえば、ファームウェア）によって実装される機能を表すことができる機能ブロックを含み得る。
【００９６】
図示のように、一実施形態では、装置１５００は、ＷＣＳのマルチキャストエリアにおいてマルチキャスト送信のコンテンツを受信する基地局から現在利用可能な帯域幅の測定値を受信するための電気構成要素またはモジュール１５０２を含み得る。たとえば、電気構成要素１５０２は、ネットワークインターフェースなどと、１つまたは複数の基地局からネットワーク負荷ファクタ、たとえば、利用可能帯域幅を示す信号を受信するための命令をもつメモリとに結合された少なくとも１つの制御プロセッサを含み得る。電気構成要素１５０２は、ＷＣＳのマルチキャストエリアにおいてマルチキャスト送信のコンテンツを受信する基地局から現在利用可能な帯域幅の測定値を受信するための手段であり得るか、またはその手段を含み得る。該手段は、１つまたは複数のプロセッサによって実行されるアルゴリズムを含み得る。アルゴリズムは、たとえば、ネットワークリンク上でマルチキャストエリア中の複数の基地局から周期的または一時的メッセージを受信することであって、メッセージが、メッセージを送る基地局ごとの利用可能帯域幅の測定値を含む、受信することと、メッセージを復号して、測定値を取得することと、マルチキャスト送信の識別子に関連するコンピュータメモリに測定値を記憶することとを含み得る。
【００９７】
装置１５００は、マルチキャスト送信中に、マルチキャストエリアにおけるマルチキャスト送信のためのアグリゲート利用可能帯域幅を判断するための電気構成要素１５０４を含み得る。たとえば、電気構成要素１５０４は、マルチキャストエリアのための利用可能帯域幅のアグリゲート測定値を判断するために利用可能帯域幅の測定値または指示をアグリゲートするための命令を保持するメモリに結合された少なくとも１つの制御プロセッサを含み得る。電気構成要素１５０４は、マルチキャスト送信中に、マルチキャストエリアにおけるマルチキャスト送信のためのアグリゲート利用可能帯域幅を判断するための手段であり得るか、またはその手段を含み得る。該手段は、１つまたは複数のプロセッサによって実行されるアルゴリズムを含み得る。アルゴリズムは、たとえば、基地局からの周期的または一時的更新に応答して、たとえば、平均、和、中央値、または他のアグリゲーションを計算することによって、マルチキャストエリアのためのアグリゲート利用可能帯域幅を判断するために利用可能帯域幅の記憶された測定値をアグリゲートすることを含み得る。アルゴリズムは、（たとえば、マルチキャストエリアにおける利用可能帯域幅の変化などの定義されたイベントに応答して）周期的または一時的に実行され得る。
【００９８】
装置１５００は、マルチキャスト送信のＱｏＳを制御する際に使用するアグリゲート利用可能帯域幅を示すための電気構成要素１５０６を含み得る。たとえば、電気構成要素１５０６は、本明細書で開示する新規の動作またはインターフェースのいずれかを使用してアップストリームエンティティにアグリゲート測定値をシグナリングするための命令を保持するメモリに結合された少なくとも１つの制御プロセッサを含み得る。電気構成要素１５０６は、マルチキャスト送信のＱｏＳを制御する際に使用するアグリゲート利用可能帯域幅を示すための手段であり得るか、またはその手段を含み得る。該手段は、１つまたは複数のプロセッサによって実行されるアルゴリズムを含み得る。アルゴリズムは、たとえば、アグリゲート利用可能帯域幅の測定値を含むメッセージを生成することと、アグリゲート測定値に基づいて動的ＱｏＳを指定するように指定された構成要素のエンティティにメッセージを送信することとを含み得る。アルゴリズムは、（たとえば、マルチキャストエリアにおける利用可能帯域幅の変化などの定義されたイベントに応答して）周期的または一時的に実行され得る。装置１５００は、例示的な簡単のために図１５に示していない、図１４Ｂに関連して説明した追加の動作１４５０のいずれかまたはすべてを実行するための同様の電気構成要素を含み得る。
【００９９】
関連する態様では、装置１５００がネットワークエンティティとして構成された場合、装置１５００は、少なくとも１つのプロセッサを有するプロセッサ構成要素１５１０をオプションとして含み得る。プロセッサ１５１０は、そのような場合、バス１５１２または同様の通信結合を介して、構成要素１５０２〜１５０６または同様の構成要素と動作可能に通信し得る。プロセッサ１５１０は、電気構成要素１５０２〜１５０６によって実行されるプロセスまたは機能の開始とスケジューリングとを実施し得る。
【０１００】
さらなる関連する態様では、装置１５００は、他のネットワークエンティティと通信するためのネットワークインターフェース構成要素１５１４を含み得る。装置１５００は、たとえば、メモリデバイス／構成要素１５１６など、情報を記憶するための構成要素をオプションとして含み得る。コンピュータ可読媒体またはメモリ構成要素１５１６は、バス１５１２などを介して装置１５００の他の構成要素に動作可能に結合され得る。メモリ構成要素１５１６は、構成要素１５０２〜１５０６、およびそれらの副構成要素、またはプロセッサ１５１０、追加の動作１４５０、または本明細書で開示する方法の動作を実行するためのコンピュータ可読命令およびデータを記憶するように適応され得る。メモリ構成要素１５１６は、構成要素１５０２〜１５０６に関連する機能を実行するための命令を保持し得る。メモリ１５１６の外部にあるものとして示されているが、構成要素１５０２〜１５０４はメモリ１５１６の内部に存在することができることを理解されたい。
【０１０１】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０２】
さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１０３】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０４】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１０５】
１つまたは複数の例示的な設計では、説明した機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなストレージ（非一時的）コンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続も、送信信号の非一時的ストレージに関与する範囲でコンピュータ可読媒体と適切に呼ばれ得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に符号化し、ディスク（disc）は、光学的に符号化されたデータを保持する。上記の組合せもコンピュータ可読媒体の範囲内に含めるべきである。
【０１０６】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
ワイヤレス通信システム（ＷＣＳ）のネットワークエンティティからマルチキャスト送信のサービス品質（ＱｏＳ）を動的に制御するための方法であって、
初期ＱｏＳを有するマルチキャスト送信を開始することと、
前記マルチキャスト送信の終了より前に、マルチキャストエリアのネットワーク負荷ファクタに応答して、前記マルチキャスト送信の更新ＱｏＳを生成することと
を備える、方法。
［Ｃ２］
前記ネットワークエンティティがブロードキャストマルチキャストサービスセンター（ＢＭ−ＳＣ）を備える、
Ｃ１に記載の方法。
［Ｃ３］
前記更新ＱｏＳを使用して前記マルチキャスト送信を更新することをさらに備える、
Ｃ１に記載の方法。
［Ｃ４］
前記マルチキャスト送信を受信するモバイルエンティティに前記更新ＱｏＳを示すことをさらに備える、
Ｃ１に記載の方法。
［Ｃ５］
前記ネットワークエンティティは、前記モバイルエンティティからフィードバックを受信しない、
Ｃ４に記載の方法。
［Ｃ６］
前記更新ＱｏＳを示すことは、前記モバイルエンティティにメディア構成要素をストリーミングするためのパラメータを与えることと、告知中で、指定されたフレーム境界または時間において効力を発する前記パラメータのうちの新しいパラメータを指定することとを備える、
Ｃ４に記載の方法。
［Ｃ７］
セッション記述プロトコル（ＳＤＰ）、修正されたＳＤＰ、ファイル記述テーブル（ＦＤＴ）、または修正されたＦＤＴ
のうちの少なくとも１つに従って前記告知を送信することをさらに備える、
Ｃ６に記載の方法。
［Ｃ８］
前記更新ＱｏＳを示すことは、対応する制御ストリーム中で前記パラメータを送ること、または前記マルチキャスト送信のためのストリームトランスポートプロトコルのヘッダ中に前記パラメータを含めることのうちの少なくとも１つによって実行される、
Ｃ６に記載の方法。
［Ｃ９］
前記ストリームトランスポートプロトコルがＨＴＴＰプッシュプロトコルを備える、
Ｃ８に記載の方法。
［Ｃ１０］
前記ネットワーク負荷ファクタを示すフィードバック、更新ＱｏＳ、あるいはＱｏＳまたは前記ＱｏＳを制御する際に使用するネットワーク負荷ファクタに限定されない１つまたは複数の追加のファクタのうちの少なくとも１つを取得するために、前記ＷＣＳ内の中間ノードと通信することをさらに備える、
Ｃ１に記載の方法。
［Ｃ１１］
前記ネットワーク負荷ファクタを受信することをさらに備え、前記ネットワーク負荷ファクタは、前記マルチキャストエリアにおける前記マルチキャスト送信のための利用可能帯域幅を示す、
Ｃ１０に記載の方法。
［Ｃ１２］
直接インターフェース上のメッセージ、いくつかのインターフェースを通して中継されるメッセージ、または運用および保守ベース指示のうちの少なくとも１つを介してマルチキャスト協調エンティティ（ＭＣＥ）から前記ネットワーク負荷ファクタを受信することをさらに備える、
Ｃ１０に記載の方法。
［Ｃ１３］
直接インターフェース上のメッセージ、いくつかのインターフェースを通して中継されるメッセージ、または運用および保守ベース指示のうちの少なくとも１つを介してｅノードＢ（ｅＮＢ）から前記ネットワーク負荷ファクタを受信することをさらに備える、
Ｃ１０に記載の方法。
［Ｃ１４］
ワイヤレス通信システム（ＷＣＳ）のネットワークエンティティからマルチキャスト送信のサービス品質（ＱｏＳ）を動的に制御するためのシステムであって、
初期ＱｏＳを有するマルチキャスト送信を開始するための手段と、
前記マルチキャスト送信の終了より前に、マルチキャストエリアのネットワーク負荷ファクタに応答して、前記マルチキャスト送信の更新ＱｏＳを生成するための手段と
を備える、システム。
［Ｃ１５］
ワイヤレス通信システム（ＷＣＳ）のネットワークエンティティからマルチキャスト送信のサービス品質（ＱｏＳ）を動的に制御するためのシステムであって、
初期ＱｏＳを有するマルチキャスト送信を開始することと、前記マルチキャスト送信の終了より前に、マルチキャストエリアのネットワーク負荷ファクタに応答して、前記マルチキャスト送信の更新ＱｏＳを生成することとを行うように構成される少なくとも１つのプロセッサと、
前記少なくとも１つのプロセッサに結合された、データを記憶するためのメモリと
を備える、システム。
［Ｃ１６］
前記プロセッサは、前記ＷＣＳ中のブロードキャストマルチキャストサービスセンター（ＢＭ−ＳＣ）として動作するようにさらに構成される、
Ｃ１５に記載のシステム。
［Ｃ１７］
前記プロセッサは、前記更新ＱｏＳを使用して前記マルチキャスト送信を更新するようにさらに構成される、
Ｃ１５に記載のシステム。
［Ｃ１８］
前記プロセッサは、前記マルチキャスト送信を受信するモバイルエンティティに前記更新ＱｏＳを示すようにさらに構成される、
Ｃ１５に記載のシステム。
［Ｃ１９］
前記プロセッサは、前記モバイルエンティティからフィードバックを受信しないようにさらに構成される、
Ｃ１８に記載のシステム。
［Ｃ２０］
前記プロセッサは、前記モバイルエンティティにメディア構成要素をストリーミングするためのパラメータを与えること、または告知中で、指定されたフレーム境界または時間において効力を発する前記パラメータのうちの新しいパラメータを指定することのうちの少なくとも１つによって、前記更新ＱｏＳを示すようにさらに構成される、
Ｃ１８に記載のシステム。
［Ｃ２１］
前記プロセッサは、セッション記述プロトコル（ＳＤＰ）、修正されたＳＤＰ、ファイル記述テーブル（ＦＤＴ）、または修正されたＦＤＴのうちの少なくとも１つに従って前記告知を送信するようにさらに構成される、
Ｃ２０に記載のシステム。
［Ｃ２２］
前記プロセッサは、対応する制御ストリーム中で前記パラメータを送ること、または前記マルチキャスト送信のためのストリームトランスポートプロトコルのヘッダ中に前記パラメータを含めることのうちの少なくとも１つによって前記更新ＱｏＳを示すようにさらに構成される、
Ｃ２０に記載のシステム。
［Ｃ２３］
前記プロセッサは、ＨＴＴＰプッシュプロトコルを備える前記ストリームトランスポートプロトコルを構成するようにさらに構成される、
Ｃ２２に記載のシステム。
［Ｃ２４］
前記プロセッサは、前記ネットワーク負荷ファクタを示すフィードバック、更新ＱｏＳ、あるいはＱｏＳまたは前記ＱｏＳを制御する際に使用するネットワーク負荷ファクタに限定されない１つまたは複数の追加のファクタのうちの少なくとも１つを取得するために、前記ＷＣＳ内の中間ノードと通信するようにさらに構成される、
Ｃ１５に記載のシステム。
［Ｃ２５］
前記プロセッサは、前記ネットワーク負荷ファクタを受信するようにさらに構成され、前記ネットワーク負荷ファクタは、前記マルチキャストエリアにおける前記マルチキャスト送信のための利用可能帯域幅を示す、
Ｃ２４に記載のシステム。
［Ｃ２６］
前記プロセッサは、直接インターフェース上のメッセージ、いくつかのインターフェースを通して中継されるメッセージ、または運用および保守ベース指示のうちの少なくとも１つを介してマルチキャスト協調エンティティ（ＭＣＥ）から前記ネットワーク負荷ファクタを受信するようにさらに構成される、
Ｃ２４に記載のシステム。
［Ｃ２７］
前記プロセッサは、直接インターフェース上のメッセージ、いくつかのインターフェースを通して中継されるメッセージ、または運用および保守ベース指示のうちの少なくとも１つを介してｅノードＢ（ｅＮＢ）から前記ネットワーク負荷ファクタを受信するようにさらに構成される、
Ｃ２４に記載のシステム。
［Ｃ２８］
初期ＱｏＳを有するマルチキャスト送信を開始することと、前記マルチキャスト送信の終了より前に、マルチキャストエリアのネットワーク負荷ファクタに応答して、前記マルチキャスト送信の更新ＱｏＳを生成することとを行うためのコードを備えるコンピュータ可読媒体
を備える、コンピュータプログラム製品。
［Ｃ２９］
モバイルデバイスを使用して、動的に制御されるサービス品質（ＱｏＳ）を有するマルチキャスト送信を使用するための方法であって、
ワイヤレス通信システムにおいてマルチキャスト送信を介してコンテンツを受信することと、
前記マルチキャスト送信中に更新ＱｏＳを受信することと、
前記更新ＱｏＳに従って前記コンテンツの後続の部分を処理することと
を備える、方法。
［Ｃ３０］
前記更新ＱｏＳを受信することは、前記コンテンツのメディアストリームを処理するための少なくとも１つのパラメータを受信することを備える、
Ｃ２９に記載の方法。
［Ｃ３１］
前記パラメータを受信することは、前記メディアストリームのための前記パラメータを含んでいる対応する制御ストリームを受信することを備える、
Ｃ２９に記載の方法。
［Ｃ３２］
前記パラメータを受信することは、各々が前記メディアストリームの１つまたは複数の指定されたフレーム境界または時間において効力を発するための前記パラメータのうちの新しいパラメータを備える、告知を受信すること備える、
Ｃ２９に記載の方法。
［Ｃ３３］
セッション記述プロトコル（ＳＤＰ）、または修正されたファイル記述テーブル（ＦＤＴ）のうちの少なくとも１つに従って前記告知のうちの複数の告知を受信することをさらに備える、
Ｃ３２に記載の方法。
［Ｃ３４］
前記パラメータを受信することは、前記マルチキャスト送信のためのストリームトランスポートプロトコルのヘッダ中で前記パラメータを受信することを備える、
Ｃ３０に記載の方法。
［Ｃ３５］
前記ストリームトランスポートプロトコルがＨＴＴＰプッシュプロトコルを備える、
Ｃ３４に記載の方法。
［Ｃ３６］
動的に制御されるサービス品質（ＱｏＳ）を有するマルチキャスト送信を使用するためのシステムであって、
ワイヤレス通信システムにおいてマルチキャスト送信を介してコンテンツを受信するための手段と、
前記マルチキャスト送信中に更新ＱｏＳを受信するための手段と、
前記更新ＱｏＳに従って前記コンテンツの後続の部分を処理するための手段と
を備える、システム。
［Ｃ３７］
動的に制御されるサービス品質（ＱｏＳ）を有するマルチキャスト送信を使用するためのシステムであって、
ワイヤレス通信システムにおいてマルチキャスト送信を介してコンテンツを受信することと、前記マルチキャスト送信中に更新ＱｏＳを受信することと、前記更新ＱｏＳに従って前記コンテンツの後続の部分を処理することとを行うように構成される少なくとも１つのプロセッサと、
前記少なくとも１つのプロセッサに結合された、データを記憶するためのメモリと
を備える、システム。
［Ｃ３８］
前記プロセッサは、前記コンテンツのメディアストリームを処理するための少なくとも１つのパラメータを受信することによって前記更新ＱｏＳを受信するようにさらに構成される、
Ｃ３７に記載のシステム。
［Ｃ３９］
前記プロセッサは、前記メディアストリームのための前記パラメータを含んでいる対応する制御ストリームを受信すること、または各々が前記メディアストリームの１つまたは複数の指定されたフレーム境界または時間において効力を発するための前記パラメータのうちの新しいパラメータを備える、告知を受信することのうちの少なくとも１つによって前記パラメータを受信するようにさらに構成される、
Ｃ３８に記載のシステム。
［Ｃ４０］
前記プロセッサは、セッション記述プロトコル（ＳＤＰ）、または修正されたファイル記述テーブル（ＦＤＴ）のうちの少なくとも１つに従って前記告知のうちの複数の告知を受信するようにさらに構成される、
Ｃ３９に記載のシステム。
［Ｃ４１］
前記プロセッサは、前記マルチキャスト送信のためのストリームトランスポートプロトコルのヘッダ中で前記パラメータを受信するようにさらに構成される、
Ｃ３８に記載のシステム。
［Ｃ４２］
前記プロセッサは、ＨＴＴＰプッシュプロトコルを備える前記ストリームトランスポートプロトコルを受信するようにさらに構成される、
Ｃ４１に記載のシステム。
［Ｃ４３］
ワイヤレス通信システムにおいてマルチキャスト送信を介してコンテンツを受信することと、前記マルチキャスト送信中に更新ＱｏＳを受信することと、前記更新ＱｏＳに従って前記コンテンツの後続の部分を処理することとを行うためのコードを備えるコンピュータ可読媒体
を備える、コンピュータプログラム製品。
［Ｃ４４］
マルチキャスト送信のサービス品質（ＱｏＳ）を制御する際に使用する、ワイヤレス通信システム（ＷＣＳ）のネットワークエンティティからの動的帯域幅利用可能性を判断するための方法であって、
前記ＷＣＳのマルチキャストエリアにおいてマルチキャスト送信のコンテンツを受信する基地局から現在利用可能な帯域幅の測定値を受信することと、
前記マルチキャスト送信中に、前記マルチキャストエリアにおける前記マルチキャスト送信のためのアグリゲート利用可能帯域幅を判断することと、
前記マルチキャスト送信のＱｏＳを制御する際に使用する前記アグリゲート利用可能帯域幅を示すことと
を備える、方法。
［Ｃ４５］
前記アグリゲート利用可能帯域幅を示すことは、アップストリームネットワークエンティティに前記アグリゲート利用可能帯域幅の指示を送信すること、または運用および保守ベース指示を使用して前記アップストリームネットワークエンティティに前記現在利用可能な帯域幅の指示を与えることのうちの少なくとも１つを備える、
Ｃ４４に記載の方法。
［Ｃ４６］
前記アップストリームネットワークエンティティに直接インターフェース上のメッセージを介して前記指示を送信すること、または前記アップストリームネットワークエンティティにいくつかのインターフェースを通して中継されるメッセージを介して前記指示を送信することのうちの少なくとも１つをさらに備える、
Ｃ４５に記載の方法。
［Ｃ４７］
前記アグリゲート利用可能帯域幅を判断する前記ネットワークエンティティがマルチキャスト協調エンティティ（ＭＣＥ）を備える、
Ｃ４４に記載の方法。
［Ｃ４８］
マルチキャスト送信のサービス品質（ＱｏＳ）を制御する際に使用する、ワイヤレス通信システム（ＷＣＳ）のネットワークエンティティからの動的帯域幅利用可能性を判断するためのシステムであって、
前記ＷＣＳのマルチキャストエリアにおいてマルチキャスト送信のコンテンツを受信する基地局から現在利用可能な帯域幅の測定値を受信するための手段と、
前記マルチキャスト送信中に、前記マルチキャストエリアにおける前記マルチキャスト送信のためのアグリゲート利用可能帯域幅を判断するための手段と、
前記マルチキャスト送信のＱｏＳを制御する際に使用する前記アグリゲート利用可能帯域幅を示すための手段と
を備える、システム。
［Ｃ４９］
マルチキャスト送信のサービス品質（ＱｏＳ）を制御する際に使用する、ワイヤレス通信システム（ＷＣＳ）のネットワークエンティティからの動的帯域幅利用可能性を判断するためのシステムであって、
前記ＷＣＳのマルチキャストエリアにおいてマルチキャスト送信のコンテンツを受信する基地局から現在利用可能な帯域幅の測定値を受信することと、前記マルチキャスト送信中に、前記マルチキャストエリアにおける前記マルチキャスト送信のためのアグリゲート利用可能帯域幅を判断することと、前記マルチキャスト送信のＱｏＳを制御する際に使用する前記アグリゲート利用可能帯域幅を示すこととを行うように構成される少なくとも１つのプロセッサと、
前記少なくとも１つのプロセッサに結合された、データを記憶するためのメモリと
を備える、システム。
［Ｃ５０］
前記プロセッサは、アップストリームネットワークエンティティに前記アグリゲート利用可能帯域幅の指示を送信すること、または運用および保守ベース指示を使用して前記アップストリームネットワークエンティティに前記現在利用可能な帯域幅の指示を与えることのうちの少なくとも１つによって前記アグリゲート利用可能帯域幅を示すようにさらに構成される、
Ｃ４９に記載のシステム。
［Ｃ５１］
前記アップストリームネットワークエンティティに直接インターフェース上のメッセージを介して前記指示を送信すること、または前記アップストリームネットワークエンティティにいくつかのインターフェースを通して中継されるメッセージを介して前記指示を送信することのうちの少なくとも１つをさらに備える、
Ｃ５０に記載のシステム。
［Ｃ５２］
前記プロセッサは、マルチキャスト協調エンティティ（ＭＣＥ）として動作するようにさらに構成される、
Ｃ４９に記載のシステム。
［Ｃ５３］
前記ＷＣＳのマルチキャストエリアにおいてマルチキャスト送信のコンテンツを受信する基地局から現在利用可能な帯域幅の測定値を受信することと、前記マルチキャスト送信中に、前記マルチキャストエリアにおける前記マルチキャスト送信のためのアグリゲート利用可能帯域幅を判断することと、前記マルチキャスト送信のＱｏＳを制御する際に使用する前記アグリゲート利用可能帯域幅を示すこととを行うためのコードを備えるコンピュータ可読媒体
を備える、コンピュータプログラム製品。
【図１】
0005770363.tif 000002
【図２】
0005770363.tif 000003
【図３】
0005770363.tif 000004
【図４】
0005770363.tif 000005
【図５】
0005770363.tif 000006
【図６】
0005770363.tif 000007
【図７】
0005770363.tif 000008
【図８Ａ】
0005770363.tif 000009
【図８Ｂ】
0005770363.tif 000010
【図８Ｃ】
0005770363.tif 000011
【図８Ｄ】
0005770363.tif 000012
【図８Ｅ】
0005770363.tif 000013
【図８Ｆ】
0005770363.tif 000014
【図９】
0005770363.tif 000015
【図１０Ａ】
0005770363.tif 000016
【図１０Ｂ】
0005770363.tif 000017
【図１１】
0005770363.tif 000018
【図１２Ａ】
0005770363.tif 000019
【図１２Ｂ】
0005770363.tif 000020
【図１２Ｃ】
0005770363.tif 000021
【図１３】
0005770363.tif 000022
【図１４Ａ】
0005770363.tif 000023
【図１４Ｂ】
0005770363.tif 000024
【図１５】
0005770363.tif 000025